(57)【要約】トランスポートストリーム（ＴＳ）ファイルから、画像属性情報を取得して、取得属性に応じた処理を実行することを可能とする。データ処理部が、処理対象データを格納したＴＳファイルに格納された画像属性情報を取得し、取得した画像属性情報を適用したフォーマット変換、または出力処理を実行する。画像属性情報は、ＴＳファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含む。データ処理部は、フォーマット変換、または出力処理の対象となる画像ストリームがＨＤＲ画像であるか、ＳＤＲ画像であるかに応じた制御を実行する。
2016132836.tif 000002
【特許請求の範囲】
【請求項１】
データ処理部が、処理対象データを格納したトランスポートストリーム（ＴＳ）ファイルを取得し、
トランスポートストリーム（ＴＳ）ファイルに格納された画像属性情報を取得し、
取得した画像属性情報を適用したフォーマット変換、または出力処理を実行する構成であり、
前記画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含み、
前記データ処理部は、
フォーマット変換、または出力処理の対象となる画像ストリームがＨＤＲ画像であるか、ＳＤＲ画像であるかに応じた制御を実行する情報処理装置。
【請求項２】
前記データ処理部は、
トランスポートストリーム（ＴＳ）ファイルを、ＭＰ４ファイルに変換するフォーマット変換を実行し、
トランスポートストリーム（ＴＳ）ファイルに格納された画像ストリーム単位の画像属性情報を取得して、ＭＰ４ファイルのメタデータ格納領域に格納する処理を実行する請求項１に記載の情報処理装置。
【請求項３】
前記データ処理部は、
トランスポートストリーム（ＴＳ）ファイルに格納されたデータの再生処理を実行し、
トランスポートストリーム（ＴＳ）ファイルに格納された画像ストリーム単位の画像属性情報を取得して、再生対象データがＨＤＲ画像であるか、ＳＤＲ画像であるかを判別して判別結果に応じた再生制御を行う請求項１に記載の情報処理装置。
【請求項４】
前記画像属性情報は、トランスポートストリーム（ＴＳ）ファイル内のＰＳＩ／ＳＩデータ内のプログラムマップテーブル（ＰＭＴ）に記録され、
前記データ処理部は、
プログラムマップテーブル（ＰＭＴ）から、画像ストリーム単位の画像属性情報を取得する請求項１に記載の情報処理装置。
【請求項５】
トランスポートストリーム（ＴＳ）ファイルに格納された画像ストリームが、ＨＤＲ画像である場合、
前記画像属性情報は、
ＨＤＲ画像ストリームが基本ＨＤＲ画像ストリームであるか、拡張ＨＤＲ画像ストリームであるかを識別可能な情報を含む請求項１に記載の情報処理装置。
【請求項６】
前記画像属性情報は、
トランスポートストリーム（ＴＳ）ファイルに格納された画像ストリームの転送特性（ガンマ特性）を識別可能な情報を含む請求項１に記載の情報処理装置。
【請求項７】
前記画像属性情報は、
トランスポートストリーム（ＴＳ）ファイルに格納された画像ストリームの色情報を識別可能な情報を含む請求項１に記載の情報処理装置。
【請求項８】
前記画像属性情報は、
トランスポートストリーム（ＴＳ）ファイルに格納された画像ストリームのＹＣｂＣｒ情報を識別可能な情報を含む請求項１に記載の情報処理装置。
【請求項９】
トランスポートストリーム（ＴＳ）ファイルを生成するデータ処理部を有し、
前記データ処理部は、
トランスポートストリーム（ＴＳ）ファイルに格納する画像ストリーム単位の画像属性情報として、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報をトランスポートストリーム（ＴＳ）ファイルに格納する情報処理装置。
【請求項１０】
前記データ処理部は、
前記画像属性情報を、トランスポートストリーム（ＴＳ）ファイル内のＰＳＩ／ＳＩデータ内のプログラムマップテーブル（ＰＭＴ）に記録する請求項９に記載の情報処理装置。
【請求項１１】
トランスポートストリーム（ＴＳ）ファイルに格納する画像ストリームが、ＨＤＲ画像である場合、
前記データ処理部は、
ＨＤＲ画像ストリームが基本ＨＤＲ画像ストリームであるか、拡張ＨＤＲ画像ストリームであるかを識別可能な情報を含む画像属性情報をトランスポートストリーム（ＴＳ）ファイルに格納する請求項９に記載の情報処理装置。
【請求項１２】
前記データ処理部は、
トランスポートストリーム（ＴＳ）ファイルに格納する画像ストリームの転送特性（ガンマ特性）を識別可能な画像属性情報をトランスポートストリーム（ＴＳ）ファイルに格納する請求項９に記載の情報処理装置。
【請求項１３】
前記データ処理部は、
トランスポートストリーム（ＴＳ）ファイルに格納する画像ストリームの色情報を識別可能な画像属性情報をトランスポートストリーム（ＴＳ）ファイルに格納する請求項９に記載の情報処理装置。
【請求項１４】
前記データ処理部は、
トランスポートストリーム（ＴＳ）ファイルに格納する画像ストリームのＹＣｂＣｒ情報を識別可能な画像属性情報をトランスポートストリーム（ＴＳ）ファイルに格納する請求項９に記載の情報処理装置。
【請求項１５】
トランスポートストリーム（ＴＳ）ファイルを記録した情報記録媒体であり、
前記トランスポートストリーム（ＴＳ）ファイルは、
トランスポートストリーム（ＴＳ）ファイルに格納された画像ストリーム単位の画像属性情報を含み、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を記録した構成であり、
前記データ処理部は、
トランスポートストリーム（ＴＳ）ファイルを読み取り、フォーマット変換、または出力処理を実行する情報処理装置において、処理対象となる画像ストリームがＨＤＲ画像であるか、ＳＤＲ画像であるかに応じた制御を実行することを可能とした情報記録媒体。
【請求項１６】
情報処理装置において実行する情報処理方法であり、
前記情報処理装置のデータ処理部が、処理対象データを格納したトランスポートストリーム（ＴＳ）ファイルを取得するファイル取得ステップと、
トランスポートストリーム（ＴＳ）ファイルに格納された画像属性情報を取得し、
取得した画像属性情報を適用したフォーマット変換、または出力処理を実行する処理実行ステップを実行し、
前記画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含み、
前記データ処理部は、前記処理実行ステップにおいて、
フォーマット変換、または出力処理の対象となる画像ストリームがＨＤＲ画像であるか、ＳＤＲ画像であるかに応じた制御を実行する情報処理方法。
【請求項１７】
情報処理装置において実行する情報処理方法であり、
前記情報処理装置は、
トランスポートストリーム（ＴＳ）ファイルを生成するデータ処理部を有し、
前記データ処理部は、
トランスポートストリーム（ＴＳ）ファイルに格納する画像ストリーム単位の画像属性情報として、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報をトランスポートストリーム（ＴＳ）ファイルに格納する情報処理方法。
【請求項１８】
情報処理装置において情報処理を実行させるプログラムであり、
前記情報処理装置のデータ処理部に、処理対象データを格納したトランスポートストリーム（ＴＳ）ファイルを取得するファイル取得ステップと、
トランスポートストリーム（ＴＳ）ファイルに格納された画像属性情報を取得し、
取得した画像属性情報を適用したフォーマット変換、または出力処理を実行する処理実行ステップを実行させ、
前記画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含み、
前記プログラムは、前記処理実行ステップにおいて、
前記データ処理部に、フォーマット変換、または出力処理の対象となる画像ストリームがＨＤＲ画像であるか、ＳＤＲ画像であるかに応じた制御を実行させるプログラム。
【請求項１９】
情報処理装置において情報処理を実行させるプログラムであり、
前記情報処理装置は、
トランスポートストリーム（ＴＳ）ファイルを生成するデータ処理部を有し、
前記プログラムは、前記データ処理部に、
トランスポートストリーム（ＴＳ）ファイルに格納する画像ストリーム単位の画像属性情報として、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報をトランスポートストリーム（ＴＳ）ファイルに格納する処理を実行させるプログラム。
【発明の詳細な説明】
【技術分野】
【０００１】
本開示は、情報処理装置、情報記録媒体、および情報処理方法、並びにプログラムに関する。さらに詳細には、画像に関する属性情報の記録や利用処理に適用可能な情報処理装置、情報記録媒体、および情報処理方法、並びにプログラムに関する。
【背景技術】
【０００２】
映画や音楽等、様々なコンテンツを記録する情報記録媒体（メディア）として、ＤＶＤ(Digital Versatile Disc)や、ＢＤ（Ｂｌｕ−ｒａｙ（登録商標）  Ｄｉｓｃ）が多く利用されている。【０００３】
映画などのコンテンツを予め記録したメディアであるＢＤ−ＲＯＭには、例えば高画質画像であるＨＤ（Ｈｉｇｈ  Ｄｅｆｉｎｉｔｉｏｎ）画像に併せて音声、字幕等のデータが記録される。
現行のＢＤ−ＲＯＭは、主にＨＤ画像、いわゆるハイビジョン対応の２Ｋ画像が記録されているものが多いが、今後、高画質化が進み、超高精細画像（ＵＨＤ：Ｕｌｔｒａ  Ｈｉｇｈ  Ｄｅｆｉｎｉｔｉｏｎ画像）である４Ｋ画像を記録したメディアが増加することが予想される。
なお、ＢＤを利用したデータ記録再生処理や、４Ｋ画像については、例えば特許文献１（特開２０１１−０２３０７１号公報）等に記載がある。【０００４】
ＢＤに対する超高精細画像（ＵＨＤ画像）のデータ記録態様について、現在、規格策定機関であるＢＤＡ（Ｂｌｕ−ｒａｙ（登録商標）  Ｄｉｓｃ  Ａｓｓｏｃｉａｔｉｏｎ）において規格化が進められている。
ＢＤＡでは、４Ｋ画像に対する対応のみではなく、ディスプレイに出力する画像の色域やコントラスト比を拡張したＨＤＲ（Ｈｉｇｈ  Ｄｙｎａｍｉｃ  Ｒａｎｇｅ）画像の対応も考慮に入れた規格化を策定中である。【０００５】
ＨＤＲ画像は、現在の２Ｋ対応ディスプレイにおいて広く利用されているＳＤＲ（Ｓｔａｎｄａｒｄ  Ｄｙｎａｍｉｃ  Ｒａｎｇｅ）画像に比較して、表現可能な色域が広く、またコントラスト比もより大きく設定可能であり、肉眼で見た現実に近い画像表現が可能である。【０００６】
ただし、現在、一般的に利用されているデレビ等のディスプレイの多くは、ＳＤＲ画像の出力のみが可能であり、ＨＤＲ画像の出力が可能なものは少ない。
今後、４Ｋ画像のみならずＨＤＲ画像を出力可能なディスプレイが徐々に普及していくものと想定される。【０００７】
ＨＤＲ画像コンテンツを記録したＢＤ等の情報記録媒体（メディア）は、ディスプレイの普及に先行して発売されることが想定される。
従って、ＨＤＲ画像コンテンツを記録したメディアが、ＨＤＲ非対応ディスプレイによって再生されることも考慮しなくてはならない。【０００８】
例えば、ディスクに記録されたＨＤＲ画像コンテンツをＳＤＲ画像のみを出力可能なＨＤＲ非対応ディスプレイにおいて出力する場合、ディスク再生装置は、ＨＤＲ画像をＳＤＲ画像に変換して出力する処理を行なうか、あるいはディスク格納コンテンツがＨＤＲ画像であり、ＨＤＲ非対応ディスプレイに正常な出力ができないことを通知するメッセーシ表示を行う等、何らかの対応処理を行うことが必要となる。【０００９】
このような対応を行うためには、再生装置は、ＨＤＲ画像コンテンツを記録したＢＤ等の情報記録媒体（メディア）からコンテンツを再生する前に、情報記録媒体（メディア）に格納されたデータがＨＤＲ画像かＳＤＲ画像か等を示すデータ属性（画像属性）を把握し、把握したデータ種類に応じた処理を実行することが必要となる。【００１０】
データ再生を実行する装置は、このような画像属性をデータ再生前に確認することが必要であるが、この画像属性の記録態様については明確に規定がないのが現状である。【００１１】
また、ＢＤには、ＢＤ対応のデータフォーマット、例えばＢＤＭＶフォーマットに従って再生用データや、再生制御情報、管理情報等のデータベースファイルが記録されているが、このＢＤ記録データを異なるフォーマットのデータ、例えばＭＰ４フォーマットに変換してフラッシュメモリ等のメディアに記録する場合も、画像属性を確認し、確認した属性情報をＭＰ４フォーマットデータの属性情報格納領域に記録することが必要である。【００１２】
さらに、例えばユーザ端末がデータサーバや放送局からの送信データを受信して再生する場合にも、受信データがＨＤＲ画像かＳＤＲ画像かを確認して、受信データの属性に応じた再生を実行することが必要であり、迅速なデータ属性（画像属性）の確認処理を行うことが求められる。
【先行技術文献】
【特許文献】
【００１３】
【特許文献１】特開２０１１−０２３０７１号公報
【発明の概要】
【発明が解決しようとする課題】
【００１４】
本開示は、例えば上記問題点に鑑みてなされたものであり、メディアの記録データ、あるいは入力データに含まれる画像データの属性を確認し、確認した属性に応じた処理を行なうことを可能とする情報処理装置、情報記録媒体、および情報処理方法、並びにプログラムを提供することを目的とする。
【課題を解決するための手段】
【００１５】
本開示の第１の側面は、
データ処理部が、処理対象データを格納したトランスポートストリーム（ＴＳ）ファイルを取得し、
トランスポートストリーム（ＴＳ）ファイルに格納された画像属性情報を取得し、
取得した画像属性情報を適用したフォーマット変換、または出力処理を実行する構成であり、
前記画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含み、
前記データ処理部は、
フォーマット変換、または出力処理の対象となる画像ストリームがＨＤＲ画像であるか、ＳＤＲ画像であるかに応じた制御を実行する情報処理装置にある。【００１６】
さらに、本開示の第２の側面は、
トランスポートストリーム（ＴＳ）ファイルを生成するデータ処理部を有し、
前記データ処理部は、
トランスポートストリーム（ＴＳ）ファイルに格納する画像ストリーム単位の画像属性情報として、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報をトランスポートストリーム（ＴＳ）ファイルに格納する情報処理装置にある。【００１７】
さらに、本開示の第３の側面は、
トランスポートストリーム（ＴＳ）ファイルを記録した情報記録媒体であり、
前記トランスポートストリーム（ＴＳ）ファイルは、
トランスポートストリーム（ＴＳ）ファイルに格納された画像ストリーム単位の画像属性情報を含み、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を記録した構成であり、
前記データ処理部は、
トランスポートストリーム（ＴＳ）ファイルを読み取り、フォーマット変換、または出力処理を実行する情報処理装置において、処理対象となる画像ストリームがＨＤＲ画像であるか、ＳＤＲ画像であるかに応じた制御を実行することを可能とした情報記録媒体にある。【００１８】
さらに、本開示の第４の側面は、
情報処理装置において実行する情報処理方法であり、
前記情報処理装置のデータ処理部が、処理対象データを格納したトランスポートストリーム（ＴＳ）ファイルを取得するファイル取得ステップと、
トランスポートストリーム（ＴＳ）ファイルに格納された画像属性情報を取得し、
取得した画像属性情報を適用したフォーマット変換、または出力処理を実行する処理実行ステップを実行し、
前記画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含み、
前記データ処理部は、前記処理実行ステップにおいて、
フォーマット変換、または出力処理の対象となる画像ストリームがＨＤＲ画像であるか、ＳＤＲ画像であるかに応じた制御を実行する情報処理方法にある。【００１９】
さらに、本開示の第５の側面は、
情報処理装置において実行する情報処理方法であり、
前記情報処理装置は、
トランスポートストリーム（ＴＳ）ファイルを生成するデータ処理部を有し、
前記データ処理部は、
トランスポートストリーム（ＴＳ）ファイルに格納する画像ストリーム単位の画像属性情報として、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報をトランスポートストリーム（ＴＳ）ファイルに格納する情報処理方法にある。【００２０】
さらに、本開示の第６の側面は、
情報処理装置において情報処理を実行させるプログラムであり、
前記情報処理装置のデータ処理部に、処理対象データを格納したトランスポートストリーム（ＴＳ）ファイルを取得するファイル取得ステップと、
トランスポートストリーム（ＴＳ）ファイルに格納された画像属性情報を取得し、
取得した画像属性情報を適用したフォーマット変換、または出力処理を実行する処理実行ステップを実行させ、
前記画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含み、
前記プログラムは、前記処理実行ステップにおいて、
前記データ処理部に、フォーマット変換、または出力処理の対象となる画像ストリームがＨＤＲ画像であるか、ＳＤＲ画像であるかに応じた制御を実行させるプログラムにある。【００２１】
さらに、本開示の第７の側面は、
情報処理装置において情報処理を実行させるプログラムであり、
前記情報処理装置は、
トランスポートストリーム（ＴＳ）ファイルを生成するデータ処理部を有し、
前記プログラムは、前記データ処理部に、
トランスポートストリーム（ＴＳ）ファイルに格納する画像ストリーム単位の画像属性情報として、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報をトランスポートストリーム（ＴＳ）ファイルに格納する処理を実行させるプログラムにある。【００２２】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００２３】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２４】
本開示の一実施例の構成によれば、トランスポートストリーム（ＴＳ）ファイルから、画像属性情報を取得して、取得属性に応じた処理を実行する構成が実現される。
具体的には、データ処理部が、処理対象データを格納したＴＳファイルに格納された画像属性情報を取得し、取得した画像属性情報を適用したフォーマット変換、または出力処理を実行する。画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含む。データ処理部は、フォーマット変換、または出力処理の対象となる画像ストリームがＨＤＲ画像であるか、ＳＤＲ画像であるかに応じた制御を実行する。
本構成により、トランスポートストリーム（ＴＳ）ファイルから、画像属性情報を取得して、取得属性に応じた処理を実行する構成が実現される。
なお、本明細書に記載された効果はあくまで例示であって限定されるものではなく、また付加的な効果があってもよい。
【図面の簡単な説明】
【００２５】
【図１】ＢＤＭＶフォーマットデータの構成例について説明する図である。
【図２】ＢＤＭＶフォーマットデータの再生処理例について説明する図である。
【図３】ＭＰＥＧ−２ＴＳフォーマットデータについて説明する図である。
【図４】ＭＰ４フォーマットデータについて説明する図である。
【図５】ＭＰ４フォーマットデータについて説明する図である。
【図６】ＭＰＥＧ−２ＴＳフォーマットからＭＰ４フォーマットへの変換処理例について説明する図である。
【図７】ＭＰＥＧ−２ＴＳフォーマットデータの入力と、再生処理例について説明する図である。
【図８】ＴＳパケットの格納データの例について説明する図である。
【図９】プログラムマップテーブル（ＰＭＴ）のデータ構成例について説明する図である。
【図１０】プログラムマップテーブル（ＰＭＴ）内の画像属性情報記録構成例について説明する図である。
【図１１】画像属性情報の例について説明する図である。
【図１２】画像属性情報の例について説明する図である。
【図１３】画像属性情報の例について説明する図である。
【図１４】画像属性情報の例について説明する図である。
【図１５】画像属性情報の例について説明する図である。
【図１６】画像属性情報の例について説明する図である。
【図１７】プログラムマップテーブル（ＰＭＴ）内の画像属性情報記録領域に画像属性情報を記録した例について説明する図である。
【図１８】プログラムマップテーブル（ＰＭＴ）内の画像属性情報記録領域に画像属性情報を記録した例について説明する図である。
【図１９】プログラムマップテーブル（ＰＭＴ）内の画像属性情報記録領域に画像属性情報を記録した例について説明する図である。
【図２０】情報処理装置の実行するフォーマット変換処理シーケンスについて説明するフローチャートを示す図である。
【図２１】情報処理装置の実行するデータ再生処理シーケンスについて説明するフローチャートを示す図である。
【図２２】情報処理装置の実行するトランスポートストリームファイル生成処理シーケンスについて説明するフローチャートを示す図である。
【図２３】情報処理装置の実行するトランスポートストリームファイル生成処理シーケンスについて説明するフローチャートを示す図である。
【図２４】本開示の処理に適用される情報処理装置の構成例について説明する図である。
【図２５】本開示の処理に適用される情報処理装置の構成例について説明する図である。
【図２６】本開示の処理に適用される情報処理装置の構成例について説明する図である。
【発明を実施するための形態】
【００２６】
以下、図面を参照しながら本開示の情報処理装置、情報記録媒体、および情報処理方法、並びにプログラムの詳細について説明する。なお、説明は以下の項目に従って行なう。
１．ＭＰＥＧ−２ＴＳフォーマットについて
２．ＭＰ４フォーマットについて
３．ＭＰＥＧ−２ＴＳフォーマットデータから画像データ属性情報取得を可能とした構成例について
３−１．ビデオエレメンタリストリームのタイプ情報（ｖｉｄｅｏ＿ｓｔｒｅａｍ＿ｔｙｐｅ）
３−２．ビデオエレメンタリストリームのダイナミックレンジ識別フラグ（ｖｉｄｅｏ＿ｄ＿ｒａｎｇｅ）
３−３．ビデオエレメンタリストリームの転送特性（ガンマ特性）情報（ｔｒａｎｓｆｅｒ＿ｃｈａｒａｃｔｅｒｉｓｔｉｃｓ）
３−４．ビデオエレメンタリストリームの色情報（ｃｏｌｏｕｒ＿ｐｒｉｍａｒｉｅｓ）
３−５．ビデオエレメンタリストリーム属性情報［（２）＋（３）＋（４）］（ｖｉｄｅｏ＿ｄ＿ｒａｎｇｅ２）
３−６．ビデオエレメンタリストリームのＹＣｂＣｒ情報（ｌｕｍａ＿ｃｈｒｏｍａ＿ｓｉｇｎａｌ＿ｆｏｒｍａｔ）
４．具体的な画像属性情報記録例について
４−１．属性情報記録例１：属性情報（１）（３）（４）（６）を記録した例
４−２．属性情報記録例２：属性情報（２）（３）（４）（６）を記録した例
４−３．属性情報記録例３：属性情報（５）（６）を記録した例
５．情報処理装置の実行するデータ処理のシーケンス例について
５−１．ＭＰＥＧ−２ＴＳフォーマットからＭＰ４フォーマットへの変換処理シーケンス
５−２．ＭＰＥＧ−２ＴＳフォーマットデータの再生処理シーケンス
５−３．ＭＰＥＧ−２ＴＳファイルの生成処理シーケンスについて（ビデオストリームタイプの設定）
５−４．ＭＰＥＧ−２ＴＳファイルの生成処理シーケンスについて（ビデオストリームタイプ以外の属性の設定）
６．情報処理装置の構成例について
６−１．フォーマット変換およびデータ記録処理を実行する情報処理装置の構成例について
６−２．データ再生、またはデータ生成、記録処理を実行する情報処理装置の構成例について
７．本開示の構成のまとめ
【００２７】
［１．ＭＰＥＧ−２ＴＳフォーマットについて］
本開示は、例えばＢＤ（Ｂｌｕ−ｒａｙ（登録商標）  Ｄｉｓｃ）等の情報記録媒体に記録されたデータ、あるいは、例えばサーバや放送局からの受信データがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを確実に確認することを可能とするための構成を提供する。
【００２８】
まず、ＢＤのデータ記録フォーマットであるＢＤＭＶ（Ｂｌｕ−ｒａｙ（登録商標）  Ｄｉｓｃ  Ｍｏｖｉｅ）フォーマットおよびＭＰＥＧ−２ＴＳフォーマットについて説明する。
図１は、例えばＲＯＭ型のＢＤ（Ｂｌｕ−ｒａｙ（登録商標）  Ｄｉｓｃ）である情報記録媒体（メディア）１０に記録されたＢＤＭＶフォーマットに従った記録データのディレクトリを示す図である。
【００２９】
ディレクトリは図１に示すように管理情報設定部１１（ＡＡＣＳディレクトリ）と、データ部１２（ＢＤＭＶディレクトリ）に分離されている。
管理情報設定部１１（ＡＡＣＳディレクトリ）には、データの暗号化鍵であるＣＰＳユニットキーファイルや利用制御情報ファイルなどが格納される。
【００３０】
一方、データ部１２のＢＤＭＶディレクトリ以下には、
インデックスファイル、
プレイリストファイル、
クリップ情報ファイル、
クリップＡＶストリームファイル、
ＢＤＪＯファイル、
例えば、これらのファイルが記録される。
【００３１】
インデックスファイルには、再生処理に適用するインデックス情報としてのタイトル情報が格納される。
プレイリストファイルは、タイトルによって指定される再生プログラムのプログラム情報に従ったコンテンツの再生順等を規定したファイルであり、再生位置情報を持つクリップ情報に対する指定情報を有する。
クリップ情報ファイルは、プレイリストファイルによって指定されるファイルであり、クリップＡＶストリームファイルの再生位置情報等を有する。
クリップＡＶストリームファイルは、再生対象となるＡＶストリームデータを格納したファイルである。
ＢＤＪＯファイルは、ＪＡＶＡ（登録商標）プログラム、コマンド等を格納したファイルの実行制御情報を格納したファイルである。
【００３２】
情報処理装置が情報記録媒体に記録されたコンテンツを再生するシーケンスは以下の通りである。
（ａ）まず、再生アプリケーションによってインデックスファイルから特定のタイトルを指定する。
（ｂ）指定されたタイトルに関連付けられた再生プログラムが選択される。
（ｃ）選択された再生プログラムのプログラム情報に従ってコンテンツの再生順等を規定したプレイリストが選択される。
（ｄ）選択されたプレイリストに規定されたクリップ情報によって、コンテンツ実データとしてのＡＶストリームあるいはコマンドが読み出されて、ＡＶストリームの再生や、コマンドの実行処理が行われる。
【００３３】
図２は、第１メディア１１０に記録される以下のデータ、すなわち、
プレイリストファイル、
クリップ情報ファイル、
クリップＡＶストリームファイル、
これらのデータの対応関係を説明する図である。
【００３４】
実際の再生対象データである画像と音声データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００３５】
これら複数のカテゴリのファイルは、図２に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００３６】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）と呼ぶ場合もある。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００３７】
クリップＡＶストリーム（Ｃｌｉｐ  ＡＶ  Ｓｔｒｅａｍ）ファイルは、ＭＰＥＧ−２ＴＳ（トランスポートストリーム）をＢＤＭＶフォーマットの規定構造に従って配置したデータを格納している。この構成の詳細は図３を参照して後段で説明する。
【００３８】
また、クリップ情報（Ｃｌｉｐ  Ｉｎｆｏｒｍａｔｉｏｎ）ファイルには、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報を格納している。
【００３９】
例えば、コンテンツの開始点からの再生時間経過位置を示すタイムスタンプが与えられた時、クリップ情報ファイルを参照して、クリップＡＶストリームファイルのデータ読み出し位置、すなわち再生開始点としてのアドレスを取得することが可能となる。
【００４０】
プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００４１】
再生対象となる画像や音声の実データを格納したクリップＡＶストリーム（Ｃｌｉｐ  ＡＶ  Ｓｔｒｅａｍ）ファイルは、例えば図３に示すようなＭＰＥＧ−２トランスポートストリーム（ＴＳ：Ｔｒａｎｓｐｏｒｔ  ｓｔｒｅａｍ）ファイル構造を持つ。
【００４２】
ＭＰＥＧ−２ＴＳフォーマットは画像（Ｖｉｄｅｏ）、音声（Ａｕｄｉｏ）、字幕（Ｓｕｂｔｉｔｌｅ）等、コンテンツ構成データである符号化データを記録媒体（メディア）に格納、または放送波やネットワークを介して伝送する際の符号化データ等のデータ格納形式（コンテナフォーマット）を規定したフォーマットである。
【００４３】
ＭＰＥＧ−２ＴＳフォーマットは、ＩＳＯ１３８１８−１において標準化されたフォーマットであり、例えばＢＤ（Ｂｌｕ−ｒａｙ（登録商標）  Ｄｉｓｃ）に対するデータ記録や、デジタル放送等に用いられている。
【００４４】
なお、主にフラッシュメモリに対するデータ記録フォーマットとしてＭＰ４フォーマットが用いられる。ＭＰ４フォーマットは、ＩＳＯ／ＩＥＣＣ１４４９６−１４で規定されたフォーマットであり、例えばスマートフォンなどにおいて多く利用されるフラッシュメモリ等にデータ記録を行う場合に適したフォーマットである。
【００４５】
昨今、利用されている多くの携帯端末は、ＭＰ４フォーマットに従って記録されたＭＰ４データを再生可能な再生アプリケーションを有しており、携帯端末のメディアにコンテンツを記録する場合、ＭＰ４形式で記録することが求められる場合が多い。
ＭＰ４フォーマットの概要については後述する。
【００４６】
前述したＢＤに対するデータ記録フォーマットであるＢＤＭＶ（Ｂｌｕ−ｒａｙ（登録商標）  Ｄｉｓｃ  Ｍｏｖｉｅ）フォーマットは、ＭＰＥＧ−２ＴＳフォーマットに従って格納された画像や音声等の符号化データを構成要素とするＢＤ専用のフォーマットである。
【００４７】
なお、ＭＰＥＧ−２ＴＳフォーマットに従って格納が許容される画像、音声、静止画の符号化データは、例えば以下の符号化データである。
画像：ＭＰＥＧ−１、ＭＰＥＧ−２、ＡＶＣ（ＭＰＥＧ−４ＡＶＣ）、ＨＥＶＣ（ＭＰＥＧ−４ＨＥＶＣ）、
音声：ＭＰ１，ＭＰ２，ＭＰ３，リニアＰＣＭ，ＤＴＳ
静止画：ＪＰＥＧ
例えば上記の各符号化データがＭＰＥＧ−２ＴＳにおいて規定するＴＳ（トランスポートストリーム）パケットに分散して格納される。
【００４８】
図３以下を参照して、ＢＤや放送に用いられるＭＰＥＧ−２ＴＳフォーマットについて説明する。
【００４９】
図３に示すように、ＭＰＥＧ−２ＴＳフォーマットは、以下の特徴を有する。
図３（Ａ）に示すように、ＭＰＥＧ−２ＴＳファイルは、整数個のアラインドユニット（Ａｌｉｇｎｅｄ  ｕｎｉｔ）から構成される。
アラインドユニット（Ａｌｉｇｎｅｄ  ｕｎｉｔ）の大きさは、６ｋＢ（＝６１４４バイト（２０４８×３バイト））である。
アラインドユニット（Ａｌｉｇｎｅｄ  ｕｎｉｔ）は、ソースパケットの第一バイト目から始まる。
【００５０】
図３（Ｂ）に示すように、ソースパケットは、１９２バイト長である。
図３（Ｃ）に示すように、一つのソースパケットは、ＴＰ＿ｅｘｔｒａ＿ｈｅａｄｅｒとＴＳパケットから成る。ＴＰ＿ｅｘｔｒａ＿ｈｅａｄｅｒは、４バイト長であり、またＴＳパケットは、１８８バイト長である。
【００５１】
図３（Ｄ）に示すように、ＴＳパケットはヘッダ（ＴＰヘッダ）とペイロード部を有する。１つのＴＳパケットのペイロードには画像、音声等、いずれか一種類のデータの符号化データ、あるいは属性情報等の制御情報が格納される。
図３（Ｅ）に示すように、ＴＳパケットのヘッダ（ＴＰヘッダ）にはペイロードのデータ種類を示すＰＩＤ（プログラムＩＤ）が記録される。
【００５２】
ＴＳパケットのペイロードには画像や音声等の符号化データであるエレメンタリストリーム（ＥＳ）を格納したパケット（パケタイズドエレメンタリストリーム（ＰＥＳ））や、再生時間情報等を格納したＰＥＳヘッダ、コンテンツに対応する属性情報や制御情報等が格納される。
ＴＳパケットのペイロードに格納される属性情報や制御情報は、具体的には、例えば、ＰＳＩ／ＳＩ（Ｐｒｏｇｒａｍ  Ｓｐｅｃｉｆｉｃ  Ｉｎｆｏｒｍａｔｉｏｎ）と呼ばれる情報である。
ＰＳＩ／ＳＩには、例えば、プログラムマップテーブル（ＰＭＴ：Ｐｒｏｇｒａｍ  Ｍａｐ  Ｔａｂｌｅ）が含まれる。
【００５３】
ＰＭＴ（Ｐｒｏｇｒａｍ  Ｍａｐ  Ｔａｂｌｅ）は、ＴＳパケットのＰＩＤとデータ種別の対応情報としてのマップを含む。ＴＳパケットに対する処理を実行する情報処理装置は、まずＰＭＴを参照して、画像、音声、字幕、その他の制御情報（属性情報）各々のデータに対応するＰＩＤを確認して、確認したデータ種別対応のＰＩＤに基づいて、受信パケットをデータ種類別に分離し、それぞれのデータ種類に応じた処理を行なう。
【００５４】
なお、図３（Ｅ）に示すように、ＴＳパケットのヘッダ情報には、以下の各データが格納される。
（ａ）同期用バイト（Ｓｙｎｃ  ｂｙｔｅ）
（ｂ）トランスポートエラー識別子（Ｔｒａｎｓｐｏｒｔ＿ｅｒｒｏｒ＿ｉｎｄｉｃａｔｏｒ）
（ｃ）ペイロードユニットスタート識別子（Ｐａｙｌｏａｄ＿ｕｎｉｔ＿ｓｔａｒｔ＿ｉｎｄｉｃａｔｏｒ）
（ｄ）トランスポートプライオリティ（Ｔｒａｎｓｐｏｒｔ＿ｐｒｉｏｒｉｔｙ）
（ｅ）プログラムＩＤ（ＰＩＤ）
（ｆ）トランスポートスクランブリングコントロール（Ｔｒａｎｓｐｏｒｔ  ｓｃｒａｍｂｌｉｎｇ  ｃｏｎｔｒｏｌ）
（ｇ）アダプテーションフィールドコントロール（Ａｄａｐｔａｔｉｏｎ  ｆｉｅｌｄ  ｃｏｎｔｒｐｌ）
（ｈ）コンティニュイティカウンタ（Ｃｏｎｔｉｎｕｉｔｙ  ｃｏｕｎｔｅｒ）
（ｉ）アダプテーションフィールド（Ａｄａｐｔａｔｉｏｎ  ｆｉｅｌｄ）
【００５５】
［２．ＭＰ４フォーマットについて］
次に、例えばスマートフォンなどにおいて多く利用されるフラッシュメモリ等にデータ記録を行う場合に適したフォーマットであるＭＰ４フォーマットについて説明する。
図４、図５を参照して、ＭＰ４フォーマットの概要について説明する。
図４には、ＩＳＯ／ＩＥＣ１４４９６−１４で規定されたＭＰ４フォーマットの例として、以下の２つの例を示している。
（ａ）フラグメンテッド（分割型）ＭＰ４ファイル（ｆｒａｇｍｅｎｔｅｄ  ｍｏｖｉｅ）
（ｂ）ノンフラグメンテッド（非分割型）ＭＰ４ファイル（Ｎｏｎ−ｆｒａｇｍｅｎｔｅｄ  ｍｏｖｉｅ）
これら図４（ａ），（ｂ）に示すＭＰ４ファイルは、ＭＰ４フォーマットに従ったデータの記録あるいは再生処理における１つの処理単位として設定されるファイルである。
【００５６】
（ａ）フラグメンテッド（分割型）ＭＰ４ファイル（ｆｒａｇｍｅｎｔｅｄ  ｍｏｖｉｅ）は、再生対象データである画像や音声などのデータを所定時間内の再生データごとに分割して格納したファイルフォーマットである。
（ｂ）ノンフラグメンテッド（非分割型）ＭＰ４ファイル（Ｎｏｎ−ｆｒａｇｍｅｎｔｅｄ  ｍｏｖｉｅ）は、再生対象データである画像や音声などのデータを分割せずに格納したファイルフォーマットである。
【００５７】
ＭＰ４ファイルは、ボックス（ｂｏｘ）単位の領域設定がなされ、各ボックスには、ボックス単位で定義されたデータが格納される。
各ボックスは、ボックスサイズ（ｂｏｘ−ｓｉｚｅ）、ボックスタイプ（ｂｏｘ−ｔｙｐｅ）、ボックスデータ（ｂｏｘ−ｄａｔａ）の各領域を有する。
ボックスサイズ（ｂｏｘ−ｓｉｚｅ）には、ボックスのデータ長（バイトサイズ）が記録される。
ボックスタイプ（ｂｏｘ−ｔｙｐｅ）には、ボックスに格納するデータの種類が記録される。
ボックスデータ（ｂｏｘ−ｄａｔａ）には、ボックスタイプで示される種類のデータが記録される。
【００５８】
図４（ａ）に示すフラグメンテッド（分割型）ＭＰ４ファイルには、以下のタイプのボックスが設定される。
ｍｏｏｖボックス、
ｔｒａｋボックス、
ｍｏｏｆボックス、
ｔｒａｆボックス、
ｍｄａｔボックス、
上記の各ボックスが設定される。
【００５９】
画像、音声、字幕等の再生対象データである実データはｍｄａｔボックスに分割して格納される。
また、ｍｄａｔボックスの各々にはｍｏｏｆボックスが対応付けられており、ｍｏｏｆボックスには、ｍｏｏｆボックスに対応付けられたｍｄａｔボックスに格納した分割実データに関する属性情報、再生制御情報等のメタデータを格納する。
【００６０】
図４（ａ）に示すフラグメンテッド（分割型）ＭＰ４ファイルは、再生対象データの分割データである実データ（ｍｄａｔ）と分割実データ対応のメタデータ（ｍｏｏｆ）を１つのセットデータとして、多数のセットデータを格納し、さらに、格納した複数のセットデータ全体に関するメタデータをｍｏｏｖボックスに格納した構成を有する。
【００６１】
分割実データ対応のメタデータ（ｍｏｏｆ）の内部には、ｔｒａｆボックスが設定される。
ｔｒａｆボックスには、対応付けられた実データ（ｍｄａｔ）の再生シーケンス情報等が格納される。
【００６２】
ｍｏｏｖボックスは、ＭＰ４ファイル全体に格納されたデータの再生制御情報等のメタデータの格納領域として設定されるボックスである。
ｍｏｏｖボックス内には、１つ以上のｔｒａｋボックスが設定される。ｔｒａｋボックスは、例えば画像、音声、字幕等のデータ種類別に設定可能であり、各データの再生シーケンス情報等を格納する。
【００６３】
なお、ＭＰ４ファイルに格納される再生データに複数の異なる画像データ、例えばＨＤ画像、４Ｋ画像等が含まれる場合には、これらの画像種類に応じて個別のｔｒａｋボックスを設定することが可能である。
また、ＭＰ４ファイルの格納音声データに複数の異なる音声データ、例えば日本語音声、英語音声等が含まれる場合には、これらの音声種類に応じて個別のｔｒａｋボックスを設定可能である。
同様に、ＭＰ４ファイルの格納字幕データに複数の異なる字幕データ、例えば日本語字幕、英語字幕等が含まれる場合には、これらの字幕種類に応じて個別のｔｒａｋボックスを設定可能である。
【００６４】
（ｂ）ノンフラグメンテッド（非分割型）ＭＰ４ファイル（Ｎｏｎ−ｆｒａｇｍｅｎｔｅｄ  ｍｏｖｉｅ）は、再生対象データである画像や音声などのデータを分割せずに格納したファイルフォーマットである。
図４（ｂ）に示すノンフラグメンテッド（非分割型）ＭＰ４ファイルには、以下のタイプのボックスが設定される。
ｍｏｏｖボックス、
ｔｒａｋボックス、
ｍｄａｔボックス、
上記の各ボックスが設定される。
【００６５】
ｍｄａｔボックスにはは、再生対象となる実データが格納される。
ｍｏｏｖボックスには、再生対象データである実データ（ｍｄａｔ）に対応して設定されるメタデータ、例えば再生対象実データ（ｍｄａｔ）の属性や再生制御情報を含むメタデータが格納される。
ｍｏｏｖボックス内に設定されるｔｒａｋボックスには、実データ（ｍｄａｔ）の再生シーケンス情報等が格納される。
【００６６】
前述の（ａ）フラグメンテッド（分割型）ＭＰ４ファイルと同様、（ｂ）ノンフラグメンテッド（非分割型）ＭＰ４ファイルに設定されるｍｏｏｖボックス内にも１つ以上のｔｒａｋボックスが設定される。各ｔｒａｋボックスは、例えば画像、音声、字幕等のデータ種類別に設定される。
【００６７】
図４は、ＭＰ４フォーマットの基本構成例を示している。
ＭＰ４フォーマットに関する規格化団体であるＤＥＣＥ（Ｄｉｇｉｔａｌ  Ｅｎｔｅｒｔａｉｎｍｅｎｔ  Ｃｏｎｔｅｎｔ  Ｅｃｏｓｔｓｔｅｍ）は、ＭＰ４ベースの新たなファイルフォーマットとしてＣＦＦ（Ｃｏｍｍｏｎ  Ｆｉｌｅ  Ｆｏｒｍａｔ）を規格化した。このＣＦＦについて、図５を参照して説明する。
【００６８】
図５に示すＣＦＦ（Ｃｏｍｍｏｎ  Ｆｉｌｅ  Ｆｏｒｍａｔ）は、基本的には、図４（ａ）を参照して説明した分割型（ｆｒａｇｍｅｎｔｅｄ  ｍｏｖｉｅ）ＭＰ４と同様のデータ構成を有する。
【００６９】
すなわち、図５に示すＣＦＦ（Ｃｏｍｍｏｎ  Ｆｉｌｅ  Ｆｏｒｍａｔ）ファイルには、先に説明した図４（ａ）のフラグメンテッド（分割型）ＭＰ４ファイルと同様、以下の各ボックスが設定される。
ｍｏｏｖボックス、
ｔｒａｋボックス、
ｍｏｏｆボックス、
ｔｒａｆボックス、
ｍｄａｔボックス、
上記の各ボックスが設定される。
【００７０】
各ボックスの格納データは、図４（ａ）のフラグメンテッド（分割型）ＭＰ４ファイルとほぼ同様である。
ただし、ＣＦＦでは、各ｍｄａｔボックスには、１つの種類のデータのみを格納するという制約が設けられている。
すなわち、各ｍｄａｔボックスには、
（ａ）画像
（ｂ）音声
（ｃ）字幕
これらのデータのいずれか一種類のデータを格納する。上記（ａ）〜（ｃ）のデータを混在させて格納してはならないという制約がある。
【００７１】
なお、ＣＦＦファイルに複数の異なる画像データ、例えばＨＤ画像、４Ｋ画像等が含まれる場合には、これらの異なる画像は、異なるｍｄａｔボックスに格納する。
同様に、異なる音声データ、例えば日本語音声、英語音声等についても個別のｍｄａｔボックスに格納し、日本語字幕、英語字幕等についても異なるｍｄａｔボックスに格納する。
【００７２】
図４（ａ）に示す一般的なフラグメンテッド（分割型）ＭＰ４ファイルでは、１つの分割データ（フラグメント）の格納ボックスとして設定されるｍｄａｔボックスに、画像、音声、字幕等の異なる種類のデータを混在させて格納することが許容されていた。
しかし、図５に示すＣＦＦ（Ｃｏｍｍｏｎ  Ｆｉｌｅ  Ｆｏｒｍａｔ）では、１つのｍｄａｔボックスには、１つの種類のデータのみしか格納してはならないという制約が設けられている。
【００７３】
すなわち、画像、音声、または字幕のいずれか一種類のデータのみが各ｍｄａｔボックスに個別に格納される。
従ってｍｄａｔボックス対応のメタデータ格納領域であるｍｏｏｆボックスも、画像、音声、字幕いずれか一種類のデータに対応して設定されるメタデータを格納する設定となる。
【００７４】
なおＭＰ４フォーマットのデータ部であるｍｄａｔボックスの格納データは、基本データ単位としてのサンプル（ｓａｍｐｌｅ）に区分される。
ＣＦＦ（Ｃｏｍｍｏｎ  Ｆｉｌｅ  Ｆｏｒｍａｔ）では、１つのｍｄａｔボックスには画像サンプルのみの集合、あるいは音声サンプルのみの集合、または字幕サンプルのみの集合、いずれか同一種類のデータサンプルの集合が格納されることになる。
【００７５】
さらに、ＤＥＣＥの規定したＣＦＦでは、ＣＦＦファイルに格納することを許容する画像、音声、字幕の符号化態様（コーデック）やデータ形式についても規定している。
ＣＦＦファイルに格納することが許容されるデータ形式には、例えば、以下のデータ形式がある。
画像（Ｖｉｄｅｏ）：ＡＶＣ（ＭＰＥＧ−４ＡＶＣ）、ＨＥＶＣ（ＭＰＥＧ−４ＨＥＶＣ）、
音声（Ａｕｄｉｏ）：ＭＰＥＧ−４−ＡＡＣ、Ｄｏｌｂｙ、ＡＣ−３
字幕（ｓｕｂｔｉｔｌｅ）：ＳＭＰＴＥ  Ｔｉｍｅｄ  Ｔｅｘｔ（ＳＭＰＴＥ−ＴＴ）
【００７６】
［３．ＭＰＥＧ−２ＴＳフォーマットデータから画像データ属性情報取得を可能とした構成例について］
先に説明したように、本開示は、例えばＢＤ（Ｂｌｕ−ｒａｙ（登録商標）  Ｄｉｓｃ）等の情報記録媒体に記録されたデータ、あるいは、例えばサーバや放送局からの受信データがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを確実に確認することを可能とするための構成を提供する。
【００７７】
ＢＤ（Ｂｌｕ−ｒａｙ（登録商標）  Ｄｉｓｃ）からＭＰＥＧ−２ＴＳフォーマットデータを読み取り、ＭＰ４フォーマットデータに変換してフラッシュメモリ等の第２メディアにデータ記録（コピー）を実行する構成例について、図６を参照して説明する。
【００７８】
図６に示す情報処理装置６０は、第１メディア（ＢＤ）５０からＭＰＥＧ−２ＴＳフォーマットデータを読み取り、読み取ったＭＰＥＧ−２ＴＳフォーマットデータをＭＰ４フォーマットデータに変換し、第２メディア（フラッシュメモリ）６５に記録する。
【００７９】
情報処理装置６０は、このデータ変換処理に際して、第１メディア（ＢＤ）５０から画像、音声、字幕等の再生対象データを格納したＭＰＥＧ−２ＴＳファイル、すなわち、図３を参照して説明したＭＰＥＧ−２ＴＳフォーマットに従って生成されたトランスポートストリーム（ＴＳ）ファイル５１を読み出す。
さらに、読み出したトランスポートストリーム（ＴＳ）ファイル５１に基づくフォーマット変換を実行してＭＰ４フォーマットデータファイル６１を生成して第２メディア（フラッシュメモリ）６５に記録する。
【００８０】
情報処理装置６０は、このフォーマット変換処理において、例えばトランスポートストリーム（ＴＳ）ファイル５１に格納された画像データがＨＤＲ画像であるかＳＤＲ画像であるかを確認し、ＭＰ４フォーマットデータ内のメタデータ格納領域にＨＤＲ画像であるかＳＤＲ画像であるかを示すメタデータ（属性情報）を記録することが必要となる。
すなわち、情報処理装置６０は、フォーマット変換処理において、トランスポートストリーム（ＴＳ）ファイル５１からトランスポートストリーム（ＴＳ）ファイル５１に格納された画像データがＨＤＲ画像であるかＳＤＲ画像であるかを確認する処理を行なわなければならない。
【００８１】
具体的な１つの処理例として、ＴＳファイルに格納された画像データを解析して確認することが可能である。しかし、ＴＳファイルに格納された画像データは符号化データであり、ＨＤＲ画像であるかＳＤＲ画像であるかを確認するためには、符号化画像データを所定のコーデックを用いて復号することが必要となる。復号処理には符号化態様に応じたコーデックおよび処理時間が必要であり、効率的な処理の妨げになる。また、復号を行うと平文データを生成することになり、データ漏えい可能性が高まりコンテンツ保護の観点からも問題となる。
【００８２】
このような問題点を解決するためには、ＴＳファイルに格納された画像データが、ＨＤＲ画像であるかＳＤＲ画像であるか等の画像属性を画像データの復号処理を伴う解析ではない他の処理によって確認可能とした構成が求められる。本開示はこの構成を実現するものである。
【００８３】
なお、図６を参照して説明した例は、ＢＤから読み取ったＭＰＥＧ−２ＴＳフォーマットデータをＭＰ４フォーマトデータに変換して第２メディアに記録する場合の処理例であるが、その他、例えば図７に示すように外部からＭＰＥＧ−２ＴＳファイルを受信する構成においても同様の問題がある。
【００８４】
図７には、例えば放送局７１、コンテンツサーバ７２等から構成される送信装置７０から、ユーザ装置であるテレビ９１、ＰＣ９２、携帯端末９３等からなる受信装置９０にデータを送信し、再生する構成を示している。
送信データは、ＭＰＥＧ−２ＴＳフォーマットに従って生成されたトランスポートストリーム（ＴＳ）ファイル８０である。
【００８５】
このような構成においても、受信装置９０は、送信装置７０からに送信されるトランスポートストリーム（ＴＳ）ファイル８０に格納された画像データがＨＤＲ画像であるかＳＤＲ画像であるかを確認する処理を行なわなければならない。
例えば、受信装置９０側で利用されるディスプレイがＳＤＲ専用であり、ＨＤＲ非対応の場合は、送信装置７０からに送信されるトランスポートストリーム（ＴＳ）ファイル８０に格納された画像データがＨＤＲ画像である場合はＳＤＲ画像に変換する処理が必要となる。
【００８６】
このように、画像データの再生や出力処理の準備として様々な設定を効率的に行うためには、受信データから即座にランスポートストリーム（ＴＳ）ファイル８０に格納された画像データがＨＤＲ画像であるかＳＤＲ画像であるかを、即座に確認することが必要である。
【００８７】
前述したように、ＴＳファイルに格納された符号化画像データは符号化データであり、ＨＤＲ画像であるかＳＤＲ画像であるかを確認するためには、符号化画像データを所定のコーデックを用いて復号することが必要となる。復号処理には符号化態様に応じたコーデックおよび処理時間が必要であり、効率的な処理の妨げになる。また、復号を行うと平文データを生成することになり、データ漏えい可能性が高まりコンテンツ保護の観点からも問題となる。
【００８８】
このような問題点を解決するためには、ＴＳファイルに格納された画像データが、ＨＤＲ画像であるかＳＤＲ画像であるか等の画像属性を画像データ自身の解析ではない他の処理によって確認可能とする構成が求められる。以下、この構成を実現する実施例について説明する。
【００８９】
図８を参照して、トランスポートストリームファイルの構成要素であるトランスポートパケット（ＴＳパケット）に格納されるデータの例について説明する。
図８（Ｄ）トランスポートパケット（ＴＳパケット）は、図３（Ｄ）に示すトランスポートパケット（ＴＳパケット）に対応する。
【００９０】
ＴＳパケットはヘッダ（ＴＰヘッダ）とペイロード部を有する。１つのＴＳパケットのペイロードには画像、音声等、いずれか一種類のデータの符号化データ、あるいは属性情報等の制御情報が格納される。
図３（Ｅ）に示すように、ＴＳパケットのヘッダ（ＴＰヘッダ）にはペイロードのデータ種類を示すＰＩＤ（プログラムＩＤ）が記録される。
【００９１】
ＴＳパケットのペイロードには画像や音声等の符号化データであるエレメンタリストリーム（ＥＳ）を格納したパケット（パケタイズドエレメンタリストリーム（ＰＥＳ））や、再生時間情報等を格納したＰＥＳヘッダ、コンテンツに対応する属性情報や制御情報等が格納される。
【００９２】
前述したように、ＴＳパケットのペイロードに格納される属性情報や制御情報は、具体的には、例えば、ＰＳＩ／ＳＩ（Ｐｒｏｇｒａｍ  Ｓｐｅｃｉｆｉｃ  Ｉｎｆｏｒｍａｔｉｏｎ）と呼ばれる情報である。
ＰＳＩ／ＳＩには、例えば、プログラムマップテーブル（ＰＭＴ：Ｐｒｏｇｒａｍ  Ｍａｐ  Ｔａｂｌｅ）が含まれる。
【００９３】
ＰＭＴ（Ｐｒｏｇｒａｍ  Ｍａｐ  Ｔａｂｌｅ）は、ＴＳパケットのＰＩＤとデータ種別の対応情報としてのマップを含む。ＴＳパケットに対する処理を実行する情報処理装置は、まずＰＭＴを参照して、画像、音声、字幕、その他の制御情報（属性情報）各々のデータに対応するＰＩＤを確認して、確認したデータ種別対応のＰＩＤに基づいて、受信パケットをデータ種類別に分離し、それぞれのデータ種類に応じた処理を行なう。
【００９４】
図９にＴＳパケットに格納されるプログラムマップテーブル（ＰＭＴ）のデータ構成例を示す。
プログラムマップテーブル（ＰＭＴ）に記録される主なデータは以下のデータである。
（１）サービス識別子（ｐｒｏｇｒａｍ＿ｎｕｍｂｅｒ）
（２）ＰＣＲ＿ＰＩＤ
（３）エレメンタリストリーム（ＥＳ）情報
（３ａ）ストリームタイプ
（３ｂ）エレメンタリＰＩＤ
（３ｃ）エレメンタリ対応情報（情報記述子：ｄｅｓｃｒｉｐｔｏｒ）
【００９５】
（１）サービス識別子（ｐｒｏｇｒａｍ＿ｎｕｍｂｅｒ）は、例えば番組名等、サービス単位のコンテンツを識別する情報である。
（２）ＰＣＲ＿ＰＩＤは、プログラム・クロック・リフェランス（ｐｒｏｇｒａｍ  ｃｌｏｃｋ  ｒｅｆｅｒｅｎｃｅ）ＰＩＤであり、サービス（コンテンツ）対応のタイムスタンプを格納したパケットのＰＩＤ情報である。
【００９６】
（３）エレメンタリストリーム（ＥＳ）情報は、サービス（コンテンツ）対応の画像（Ｖｉｄｅｏ）、音声（Ａｕｄｉｏ）、字幕（Ｃａｐｔｉｏｎ）各々を格納したエレメンタリストリーム（ＥＳ）に関する詳細情報を記録するフィールドである。
画像（Ｖｉｄｅｏ）、音声（Ａｕｄｉｏ）、字幕（Ｃａｐｔｉｏｎ）各々の情報が順次、記録される。
【００９７】
このフィールドには、以下の各情報が記述される。
（３ａ）ストリームタイプ
（３ｂ）エレメンタリＰＩＤ
（３ｃ）データコンポーネント（ＥＳ）情報（ＥＳ情報）
【００９８】
（３ａ）ストリームタイプは、画像、音声、字幕のいずれのＥＳ（エレメンタリストリーム）の情報であるかを示す情報である。
（３ｂ）エレメンタリＰＩＤは、ストリームタイプで規定された種類のデータを格納したＴＳパケットのＰＩＤを示す。
（３ｃ）データコンポーネント情報（ＥＳ情報）には、ストリームタイプで規定された種類のデータ（ＥＳ：画像、音声、字幕）に関する追加情報、すなわちエレメンタリＰＩＤ（ｅｌｅｍｅｎｔａｒｙ＿ＰＩＤ）によって識別される各エレメンタリストリーム（ＥＳ）単位の制御情報、属性情報等の追加情報が記録される。
【００９９】
図１０に、（３ｃ）データコンポーネント情報（ＥＳ情報）に記録されるビデオエレメンタリストリーム単位の属性情報の一例である［ＨＤＭＶ＿ｖｉｄｅｏ＿ｒｅｇｉｓｔｒａｔｉｏｎ＿ｄｅｓｃｒｉｐｔｏｒ］のデータ構成例を示す。
【０１００】
この図１０に示す例はＨＤＭＶビデオの属性情報の記録構成例であり、
個々のビデオエレメンタリストリームに関する様々な属性情報の記録構成例である。図１０に示す例では、以下の各情報が記録されている。
符号化タイプ（ｓｔｒｅａｍ＿ｃｏｄｉｎｇ＿ｔｙｐｅ）
画像フォーマット（ｖｉｄｅｏ＿ｆｏｒｍａｔ）
フレームレート（ｆｒａｍｅ＿ｒａｔｅ）
アスペクト比（ａｓｐｅｃｔ＿ｒａｔｉｏ）
【０１０１】
２か所に設定された４ビットのリザーブ領域（ｓｔｕｆｆｉｎｇ＿ｂｉｔｓ）１０１，１０２は。現行フォーマットでは利用されていない領域である。
本開示の構成では、このリザーブ領域に、画像の新たな追加属性情報を記録する。
追加する属性情報もエレメンタリＰＩＤ（ｅｌｅｍｅｎｔａｒｙ＿ＰＩＤ）によって識別されるエレメンタリストリーム単位の属性情報である。
以下、リザーブ領域（ｓｔｕｆｆｉｎｇ＿ｂｉｔｓ）に新たに追加記録する画像属性情報の例について説明する。
【０１０２】
以下、画像属性情報の追加記録候補の例として以下の６つの画像属性情報の記録例について説明する。
（１）ビデオエレメンタリストリームのタイプ情報（ｖｉｄｅｏ＿ｓｔｒｅａｍ＿ｔｙｐｅ）
（２）ビデオエレメンタリストリームのダイナミックレンジ識別フラグ（ｖｉｄｅｏ＿ｄ＿ｒａｎｇｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
（５）ビデオエレメンタリストリーム属性情報［（２）＋（３）＋（４）］（ｖｉｄｅｏ＿ｄ＿ｒａｎｇｅ２）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０１０３】
［３−１．ビデオエレメンタリストリームのタイプ情報（ｖｉｄｅｏ＿ｓｔｒｅａｍ＿ｔｙｐｅ）］
まず、図１１を参照して（１）ビデオエレメンタリストリームのタイプ情報（ｖｉｄｅｏ＿ｓｔｒｅａｍ＿ｔｙｐｅ）の記録例について説明する。
図１１には、ビデオエレメンタリストリームのタイプ情報（ｖｉｄｅｏ＿ｓｔｒｅａｍ＿ｔｙｐｅ）を４ビットデータとして記録する例を示している。
図１０を参照して説明したデータコンポーネント情報（ＥＳ情報）に記録されるビデオエレメンタリストリームに関する属性情報記録領域［ＨＤＭＶ＿ｖｉｄｅｏ＿ｒｅｇｉｓｔｒａｔｉｏｎ＿ｄｅｓｃｒｉｐｔｏｒ］に設定されるリザーブ領域（ｓｔｕｆｆｉｎｇ＿ｂｉｔｓ）の一部の４ビットを用いてビデオエレメンタリストリームのタイプ情報（ｖｉｄｅｏ＿ｓｔｒｅａｍ＿ｔｙｐｅ）を記録する例である。
【０１０４】
４ビットで表現可能なビット値は０（００００）〜１５（１１１１）の１６種類である。この４ビットデータを用いて、ＰＩＤによって識別されるビデオエレメンタリストリームが以下のいずれの属性を持つかを示す。
各ビット値の定義を以下のように設定する。
０（＝００００）：このエレメンタリストリームはシングルＳＤＲビデオである。
１（＝０００１）：このエレメンタリストリームはシングルＨＤＲビデオである。
２（＝００１０）：このエレメンタリストリームは二重ストリーム（ｄｕａｌ  ｓｔｒｅａｍ）方式のストリームに属する基本ビデオストリームである。
３（＝００１１）：このエレメンタリストリームは二重ストリーム（ｄｕａｌ  ｓｔｒｅａｍ）方式のストリームに属する拡張ビデオストリームである。
４〜１５（＝０１００〜１１１１）：リザーブ
【０１０５】
コンテンツ再生を実行する再生装置等の情報処理装置は、上記設定ビット値に基づいて、エレメンタリＰＩＤ（ｅｌｅｍｅｎｔａｒｙ＿ＰＩＤ）によって識別されるエレメンタリストリームが、上記４種類のいずれの属性を有するかを判別することができる。
【０１０６】
ビット値＝０の場合、エレメンタリＰＩＤ（ｅｌｅｍｅｎｔａｒｙ＿ＰＩＤ）によって識別されるエレメンタリストリームがシングルＳＤＲビデオ、すなわち１つのＳＤＲビデオストリームによって構成されていることを示す。
【０１０７】
ビット値＝１の場合、エレメンタリＰＩＤ（ｅｌｅｍｅｎｔａｒｙ＿ＰＩＤ）によって識別されるエレメンタリストリームがシングルＨＤＲビデオ、すなわち１つのＨＤＲビデオストリームによって構成されていることを示す。
【０１０８】
ビット値＝２の場合、エレメンタリＰＩＤ（ｅｌｅｍｅｎｔａｒｙ＿ＰＩＤ）によって識別されるエレメンタリストリームが、二重ストリーム（ｄｕａｌ  ｓｔｒｅａｍ）方式のストリームに属する基本ビデオストリームであることを示す。
【０１０９】
なお、ＨＤＲビデオの場合、基本ビデオストリームと拡張ビデオストリームの２つのストリームを利用する構成が可能である。すなわち、以下の２つのタイプである。
（ａ）基本ビデオストリームのみを利用したＨＤＲビデオ再生処理、
（ｂ）基本ビデオストリームと拡張ビデオストリームの２つのビデオストリームを利用したＨＤＲビデオ再生処理、
上記（ａ），（ｂ）の２つのタイプのビデオ再生処理が可能である。
拡張ビデオストリームは、基本ビデオストリームに対して画像変換を行うための追加情報が格納されている。拡張ビデオストリームに格納された追加情報を利用することで、基本ビデオストリームのみを利用した出力画像に対し、表示装置に対してより適切な画像出力を実現する。
例えば、基本ビデオストリームと拡張ビデオストリームの２つのビデオストリームを利用したＨＤＲビデオ再生処理は、基本ビデオストリームのみを利用したＨＤＲビデオ再生処理より高画質な画像再生が実現される。
あるいは、拡張ビデオストリームに格納される拡張情報を利用して、基本ビデオストリームのみを利用した場合に生成されるＨＤＲ画像をＳＤＲ画像に変換し、ＨＤＲ非対応の従来ディスプレイでのＳＤＲビデオ再生を実現する。
【０１１０】
ビット値＝３の場合、エレメンタリＰＩＤ（ｅｌｅｍｅｎｔａｒｙ＿ＰＩＤ）によって識別されるエレメンタリストリームが、二重ストリーム（ｄｕａｌ  ｓｔｒｅａｍ）方式のストリームに属する拡張ビデオストリームであることを示す。
【０１１１】
［３−２．ビデオエレメンタリストリームのダイナミックレンジ識別フラグ（ｖｉｄｅｏ＿ｄ＿ｒａｎｇｅ）］
次に、図１２を参照して（２）ビデオエレメンタリストリームのダイナミックレンジ識別フラグ（ｖｉｄｅｏ＿ｄ＿ｒａｎｇｅ）の記録例について説明する。
図１２には、ビデオエレメンタリストリームのダイナミックレンジ識別フラグ（ｖｉｄｅｏ＿ｄ＿ｒａｎｇｅ）を４ビットデータとして記録する例を示している。
図１０を参照して説明したデータコンポーネント情報（ＥＳ情報）に記録されるビデオエレメンタリストリームに関する属性情報記録領域［ＨＤＭＶ＿ｖｉｄｅｏ＿ｒｅｇｉｓｔｒａｔｉｏｎ＿ｄｅｓｃｒｉｐｔｏｒ］に設定されるリザーブ領域（ｓｔｕｆｆｉｎｇ＿ｂｉｔｓ）の一部の４ビットを用いてビデオエレメンタリストリームのダイナミックレンジ識別フラグ（ｖｉｄｅｏ＿ｄ＿ｒａｎｇｅ）を記録する例である。
【０１１２】
４ビットで表現可能なビット値は０（００００）〜１５（１１１１）の１６種類である。この４ビットデータを用いて、ＰＩＤによって識別されるビデオエレメンタリストリームが以下のいずれの属性を持つかを示す。
各ビット値の定義を以下のように設定する。
０（＝００００）：このエレメンタリストリームはＳＤＲビデオである。（またはＳＤＲ再生を意図したビデオである）
１（＝０００１）：このエレメンタリストリームはＨＤＲビデオである。（またはＨＤＲ再生を意図したビデオである）
２〜１５（＝００１０〜１１１１）：リザーブ
【０１１３】
コンテンツ再生を実行する再生装置等の情報処理装置は、上記設定ビット値に基づいて、エレメンタリＰＩＤ（ｅｌｅｍｅｎｔａｒｙ＿ＰＩＤ）によって識別されるエレメンタリストリームが、上記２種類のいずれの属性を有するかを判別することができる。
【０１１４】
ビット値＝０の場合、エレメンタリＰＩＤ（ｅｌｅｍｅｎｔａｒｙ＿ＰＩＤ）によって識別されるエレメンタリストリームがＳＤＲビデオ、またはＳＤＲ再生を意図したビデオであることを示す。
【０１１５】
ビット値＝１の場合、エレメンタリＰＩＤ（ｅｌｅｍｅｎｔａｒｙ＿ＰＩＤ）によって識別されるエレメンタリストリームがシングルＨＤＲビデオ、またはＨＤＲ再生を意図したビデオであることを示す。
【０１１６】
［３−３．ビデオエレメンタリストリームの転送特性（ガンマ特性）情報（ｔｒａｎｓｆｅｒ＿ｃｈａｒａｃｔｅｒｉｓｔｉｃｓ）］
次に、図１３を参照して（３）ビデオエレメンタリストリームの転送特性（ガンマ特性）情報（ｔｒａｎｓｆｅｒ＿ｃｈａｒａｃｔｅｒｉｓｔｉｃｓ）の記録例について説明する。
【０１１７】
図１３には、ビデオエレメンタリストリームの転送特性（ガンマ特性）情報（ｔｒａｎｓｆｅｒ＿ｃｈａｒａｃｔｅｒｉｓｔｉｃｓ）を４ビットデータとして記録する例を示している。
図１０を参照して説明したデータコンポーネント情報（ＥＳ情報）に記録されるビデオエレメンタリストリームに関する属性情報記録領域［ＨＤＭＶ＿ｖｉｄｅｏ＿ｒｅｇｉｓｔｒａｔｉｏｎ＿ｄｅｓｃｒｉｐｔｏｒ］に設定されるリザーブ領域（ｓｔｕｆｆｉｎｇ＿ｂｉｔｓ）の一部の４ビットを用いてビデオエレメンタリストリームの転送特性（ガンマ特性）情報（ｔｒａｎｓｆｅｒ＿ｃｈａｒａｃｔｅｒｉｓｔｉｃｓ）を記録する例である。
【０１１８】
４ビットで表現可能なビット値は０（００００）〜１５（１１１１）の１６種類である。この４ビットデータを用いて、ＰＩＤによって識別されるビデオエレメンタリストリームが以下のいずれの属性を持つかを示す。
各ビット値の定義を以下のように設定する。
０（＝００００）：特定せず（ｕｎｓｐｅｃｉｆｉｅｄ）
１（＝０００１）：このエレメンタリストリームはＩＴＵ−Ｒ  ＢＴ．７０９−５準拠の光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて作成された画像であることを示す。（このエレメンタリストリームのビデオを表示するディスプレイはＩＴＵ−Ｒ  ＢＴ．１８８６に準拠した電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）を適用した表示処理を実行することを想定）
【０１１９】
２（＝００１０）：このエレメンタリストリームのビデオを表示するディスプレイはＳＭＰＴＥ  ＳＴ２０８４に準拠した電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）を適用した表示処理を実行することを想定）
３〜１５（＝００１１〜１１１１）：リザーブ
【０１２０】
コンテンツ再生を実行する再生装置等の情報処理装置は、上記設定ビット値に基づいて、エレメンタリＰＩＤ（ｅｌｅｍｅｎｔａｒｙ＿ＰＩＤ）によって識別されるエレメンタリストリームが、上記のいずれの属性を有するかを判別することができる。
【０１２１】
ビット値＝０の場合、エレメンタリＰＩＤ（ｅｌｅｍｅｎｔａｒｙ＿ＰＩＤ）によって識別されるエレメンタリストリームの転送特性（ガンマ特性）を特定しないことを意味する。再生装置等の情報処理装置は、表示装置（ｄｉｓｐｌａｙ）に応じた最適なガンマ変換処理を行なうことになる。
【０１２２】
ビット値＝１の場合、エレメンタリＰＩＤ（ｅｌｅｍｅｎｔａｒｙ＿ＰＩＤ）によって識別されるエレメンタリストリームがＩＴＵ−Ｒ  ＢＴ．７０９−５準拠の光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて作成された画像であることを示す。なお、これは、このエレメンタリストリームのビデオを表示するディスプレイはＩＴＵ−Ｒ  ＢＴ．１８８６に準拠した電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）を適用した表示処理を実行することを想定したものである。
なお、これはＳＤＲビデオ対応の転送特性（ガンマ特性）に相当し、再生装置等の情報処理装置は、ＳＤＲビデオ対応の転送特性（ガンマ特性）に従った処理（ガンマ変換）を実行して表示装置に対する出力信号を生成することになる。
【０１２３】
ビット値＝２の場合、エレメンタリＰＩＤ（ｅｌｅｍｅｎｔａｒｙ＿ＰＩＤ）によって識別されるエレメンタリストリームのビデオを表示するディスプレイはＳＭＰＴＥ  ＳＴ２０８４に準拠した電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）を適用した表示処理を実行することを想定していることを示す。
なお、これはＨＤＲビデオ対応の転送特性（ガンマ特性）に相当し、再生装置等の情報処理装置は、ＨＤＲビデオ対応の転送特性（ガンマ特性）に従った処理（ガンマ変換）を実行して表示装置に対する出力信号を生成することになる。
【０１２４】
［３−４．ビデオエレメンタリストリームの色情報（ｃｏｌｏｕｒ＿ｐｒｉｍａｒｉｅｓ）］
次に、図１４を参照して（４）ビデオエレメンタリストリームの色情報（ｃｏｌｏｕｒ＿ｐｒｉｍａｒｉｅｓ）の記録例について説明する。
【０１２５】
図１４には、ビデオエレメンタリストリームの色情報（ｃｏｌｏｕｒ＿ｐｒｉｍａｒｉｅｓ）を４ビットデータとして記録する例を示している。
図１０を参照して説明したデータコンポーネント情報（ＥＳ情報）に記録されるビデオエレメンタリストリームに関する属性情報記録領域［ＨＤＭＶ＿ｖｉｄｅｏ＿ｒｅｇｉｓｔｒａｔｉｏｎ＿ｄｅｓｃｒｉｐｔｏｒ］に設定されるリザーブ領域（ｓｔｕｆｆｉｎｇ＿ｂｉｔｓ）の一部の４ビットを用いてビデオエレメンタリストリームの色情報（ｃｏｌｏｕｒ＿ｐｒｉｍａｒｉｅｓ）を記録する例である。
【０１２６】
４ビットで表現可能なビット値は０（００００）〜１５（１１１１）の１６種類である。この４ビットデータを用いて、ＰＩＤによって識別されるビデオエレメンタリストリームが以下のいずれの属性を持つかを示す。
各ビット値の定義を以下のように設定する。
０（＝００００）：特定せず（ｕｎｓｐｅｃｉｆｉｅｄ）
１（＝０００１）：このエレメンタリストリームはＩＴＵ−Ｒ  ＢＴ．７０９−５準拠の３元色点と基準色を有することを示す。
２（＝００１０）：このエレメンタリストリームはＩＴＵ−Ｒ  ＢＴ．２０２０準拠の３元色点と基準色を有することを示す。
３〜１５（＝００１１〜１１１１）：リザーブ
【０１２７】
コンテンツ再生を実行する再生装置等の情報処理装置は、上記設定ビット値に基づいて、エレメンタリＰＩＤ（ｅｌｅｍｅｎｔａｒｙ＿ＰＩＤ）によって識別されるエレメンタリストリームが、上記のいずれの属性を有するかを判別することができる。
【０１２８】
ビット値＝０の場合、エレメンタリＰＩＤ（ｅｌｅｍｅｎｔａｒｙ＿ＰＩＤ）によって識別されるエレメンタリストリームの色情報は特定されていないことを意味する。再生装置等の情報処理装置は、表示装置（ｄｉｓｐｌａｙ）に応じた最適な色設定の対応処理を行なうことになる。
【０１２９】
ビット値＝１の場合、エレメンタリＰＩＤ（ｅｌｅｍｅｎｔａｒｙ＿ＰＩＤ）によって識別されるエレメンタリストリームがＩＴＵ−Ｒ  ＢＴ．７０９−５準拠の３元色点と基準色を有することを示す。
なお、これはＳＤＲビデオ対応の色設定であり、再生装置等の情報処理装置は、ＳＤＲビデオ対応の画像出力処理を実行して表示装置に対する出力信号を生成することになる。
【０１３０】
ビット値＝２の場合、エレメンタリＰＩＤ（ｅｌｅｍｅｎｔａｒｙ＿ＰＩＤ）によって識別されるエレメンタリストリームがＩＴＵ−Ｒ  ＢＴ．２０２０準拠の３元色点と基準色を有することを示す。
なお、これはＨＤＲビデオ対応の色設定であり、再生装置等の情報処理装置は、ＨＤＲビデオ対応の画像出力処理を実行して表示装置に対する出力信号を生成することになる。
【０１３１】
［３−５．ビデオエレメンタリストリーム属性情報［（２）＋（３）＋（４）］（ｖｉｄｅｏ＿ｄ＿ｒａｎｇｅ２）］
次に、図１５を参照して（５）ビデオエレメンタリストリーム属性情報［（２）＋（３）＋（４）］（ｖｉｄｅｏ＿ｄ＿ｒａｎｇｅ２）の記録例について説明する。
【０１３２】
図１５には、ビデオエレメンタリストリームの属性情報［（２）＋（３）＋（４）］（ｖｉｄｅｏ＿ｄ＿ｒａｎｇｅ２）を４ビットデータとして記録する例を示している。
ビデオエレメンタリストリームの属性情報［（２）＋（３）＋（４）］とは、上述した属性情報、すなわち、
（２）ビデオエレメンタリストリームのダイナミックレンジ識別フラグ（ｖｉｄｅｏ＿ｄ＿ｒａｎｇｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
これらの画像属性情報である。
【０１３３】
図１０を参照して説明したデータコンポーネント情報（ＥＳ情報）に記録されるビデオエレメンタリストリームに関する属性情報記録領域［ＨＤＭＶ＿ｖｉｄｅｏ＿ｒｅｇｉｓｔｒａｔｉｏｎ＿ｄｅｓｃｒｉｐｔｏｒ］に設定されるリザーブ領域（ｓｔｕｆｆｉｎｇ＿ｂｉｔｓ）の一部の４ビットを用いてビデオエレメンタリストリームの属性情報［（２）＋（３）＋（４）］（ｖｉｄｅｏ＿ｄ＿ｒａｎｇｅ２）を記録する。
【０１３４】
４ビットで表現可能なビット値は０（００００）〜１５（１１１１）の１６種類である。この４ビットデータを用いて、ＰＩＤによって識別されるビデオエレメンタリストリームが以下のいずれの属性を持つかを示す。
各ビット値の定義を以下のように設定する。
０（＝００００）：特定せず（ｕｎｓｐｅｃｉｆｉｅｄ）
１（＝０００１）：このエレメンタリストリームはＩＴＵ−Ｒ  ＢＴ．７０９−５準拠のＯＥＴＦと、ＩＴＵ−Ｒ  ＢＴ．７０９−５準拠の３元色点と基準色の適用画像データであることを示す。
２（＝００１０）：このエレメンタリストリームはＩＴＵ−Ｒ  ＢＴ．７０９−５準拠のＯＥＴＦと、ＩＴＵ−Ｒ  ＢＴ．２０２０準拠の３元色点と基準色の適用画像データであることを示す。
３（＝００１１）：このエレメンタリストリームは、表示ディスプレイとしてＳＭＰＴＥ  ＳＴ２０８４準拠のＥＯＴＦの適用タイプを想定し、ＩＴＵ−Ｒ  ＢＴ．２０２０準拠の３元色点と基準色に基づいて生成された画像データであることを示す。
４〜１５（＝０１００〜１１１１）：リザーブ
【０１３５】
コンテンツ再生を実行する再生装置等の情報処理装置は、上記設定ビット値に基づいて、エレメンタリＰＩＤ（ｅｌｅｍｅｎｔａｒｙ＿ＰＩＤ）によって識別されるエレメンタリストリームが、上記のいずれの属性を有するかを判別することができる。
【０１３６】
ビット値＝０の場合、エレメンタリＰＩＤ（ｅｌｅｍｅｎｔａｒｙ＿ＰＩＤ）によって識別されるエレメンタリストリームの画像生成に適用したＯＥＴＦや表示ディスプレイのＥＯＴＦ、画像信号の色域等は特定されていないことを意味する。再生装置等の情報処理装置は、表示装置（ｄｉｓｐｌａｙ）に応じた最適な色設定の対応処理を行なうことになる。
【０１３７】
ビット値＝１の場合、エレメンタリＰＩＤ（ｅｌｅｍｅｎｔａｒｙ＿ＰＩＤ）によって識別されるエレメンタリストリームがＩＴＵ−Ｒ  ＢＴ．７０９−５準拠のＯＥＴＦと、ＩＴＵ−Ｒ  ＢＴ．７０９−５準拠の３元色点と基準色の適用画像データであることを示す。
これはＳＤＲ画像データに相当する特性であり、再生装置等の情報処理装置は、ＳＤＲビデオ対応の画像出力処理を実行して表示装置に対する出力信号を生成することになる。
【０１３８】
ビット値＝２の場合、エレメンタリＰＩＤ（ｅｌｅｍｅｎｔａｒｙ＿ＰＩＤ）によって識別されるエレメンタリストリームがＩＴＵ−Ｒ  ＢＴ．７０９−５準拠のＯＥＴＦと、ＩＴＵ−Ｒ  ＢＴ．２０２０準拠の３元色点と基準色の適用画像データであることを示す。
これは広色域色を持つ特定のＳＤＲ画像データに相当する特性であり、再生装置等の情報処理装置は、広色域色を持つ特定のＳＤＲビデオ対応の画像出力処理を実行して表示装置に対する出力信号を生成することになる。
【０１３９】
ビット値＝３の場合、エレメンタリＰＩＤ（ｅｌｅｍｅｎｔａｒｙ＿ＰＩＤ）によって識別されるエレメンタリストリームが表示ディスプレイとしてＳＭＰＴＥ  ＳＴ２０８４準拠のＥＯＴＦの適用タイプを想定し、ＩＴＵ−Ｒ  ＢＴ．２０２０準拠の３元色点と基準色に基づいて生成された画像データであることを示す。
これはＨＤＲ画像データに相当する特性であり、再生装置等の情報処理装置は、ＨＤＲビデオ対応の画像出力処理を実行して表示装置に対する出力信号を生成することになる。
【０１４０】
［３−６．ビデオエレメンタリストリームのＹＣｂＣｒ情報（ｌｕｍａ＿ｃｈｒｏｍａ＿ｓｉｇｎａｌ＿ｆｏｒｍａｔ）］
次に、図１６を参照して（６）ビデオエレメンタリストリームのＹＣｂＣｒ情報（ｌｕｍａ＿ｃｈｒｏｍａ＿ｓｉｇｎａｌ＿ｆｏｒｍａｔ）の記録例について説明する。
【０１４１】
図１６には、ビデオエレメンタリストリームのＹＣｂＣｒ情報（ｌｕｍａ＿ｃｈｒｏｍａ＿ｓｉｇｎａｌ＿ｆｏｒｍａｔ）を４ビットデータとして記録する例を示している。
図１０を参照して説明したデータコンポーネント情報（ＥＳ情報）に記録されるビデオエレメンタリストリームに関する属性情報記録領域［ＨＤＭＶ＿ｖｉｄｅｏ＿ｒｅｇｉｓｔｒａｔｉｏｎ＿ｄｅｓｃｒｉｐｔｏｒ］に設定されるリザーブ領域（ｓｔｕｆｆｉｎｇ＿ｂｉｔｓ）の一部の４ビットを用いてビデオエレメンタリストリームのＹＣｂＣｒ情報（ｌｕｍａ＿ｃｈｒｏｍａ＿ｓｉｇｎａｌ＿ｆｏｒｍａｔ）を記録する例である。
【０１４２】
４ビットで表現可能なビット値は０（００００）〜１５（１１１１）の１６種類である。この４ビットデータを用いて、ＰＩＤによって識別されるビデオエレメンタリストリームが以下のいずれの属性を持つかを示す。
各ビット値の定義を以下のように設定する。
０（＝００００）：このエレメンタリストリームは非定輝度タイプのＹＣｂＣｒ信号（Ｙ'  Ｃ'ｂ  Ｃ'ｒ）を有することを示す。
１（＝０００１）：このエレメンタリストリームは定輝度タイプのＹＣｂＣｒ信号（Ｙ'ｃ  Ｃ'ｂｃ  Ｃ'ｒｃ）を有することを示す。
２（＝００１０）：特定せず（ｕｎｓｐｅｃｉｆｉｅｄ）
３〜１５（＝００１１〜１１１１）：リザーブ
【０１４３】
コンテンツ再生を実行する再生装置等の情報処理装置は、上記設定ビット値に基づいて、エレメンタリＰＩＤ（ｅｌｅｍｅｎｔａｒｙ＿ＰＩＤ）によって識別されるエレメンタリストリームが、上記のいずれの属性を有するかを判別することができる。
【０１４４】
ビット値＝０の場合、エレメンタリＰＩＤ（ｅｌｅｍｅｎｔａｒｙ＿ＰＩＤ）によって識別されるエレメンタリストリームは非定輝度タイプのＹＣｂＣｒ信号（Ｙ'  Ｃ'ｂ  Ｃ'ｒ）を有することを示す。
【０１４５】
ＹＣｂＣｒ信号には２つのタイプがある。
１つは、非定輝度タイプのＹＣｂＣｒ信号（Ｙ'  Ｃ'ｂ  Ｃ'ｒ）であり、もう１は、定輝度タイプのＹＣｂＣｒ信号（Ｙ'ｃ  Ｃ'ｂｃ  Ｃ'ｒｃ）である。
非定輝度タイプのＹＣｂＣｒ信号は、出力色に応じた輝度変化を許容した構成を有し、ＳＤＲ画像で利用される場合が多い。一方、定輝度タイプのＹＣｂＣｒ信号は、出力色に応じた輝度変化を低減した構成を有し、ＨＤＲ画像で利用される場合が多いＹＣｂＣｒ信号タイプである。
【０１４６】
ビット値＝０の場合、エレメンタリストリームは非定輝度タイプのＹＣｂＣｒ信号（Ｙ'  Ｃ'ｂ  Ｃ'ｒ）であり、再生装置等の情報処理装置は、非定輝度タイプのＹＣｂＣｒ信号の出力処理による画像再生を実行することになる。これは、多くの場合ＳＤＲビデオ対応の画像出力処理となる。
【０１４７】
ビット値＝１の場合、エレメンタリＰＩＤ（ｅｌｅｍｅｎｔａｒｙ＿ＰＩＤ）によって識別されるエレメンタリストリームは定輝度タイプのＹＣｂＣｒ信号（Ｙ'ｃ  Ｃ'ｂｃ  Ｃ'ｒｃ）を有することを示す。
この設定の場合、再生装置等の情報処理装置は、定輝度タイプのＹＣｂＣｒ信号の出力処理による画像再生を実行することになる。これは、多くの場合ＨＤＲビデオ対応の画像出力処理となる。
【０１４８】
ビット値＝２の場合、エレメンタリＰＩＤ（ｅｌｅｍｅｎｔａｒｙ＿ＰＩＤ）によって識別されるエレメンタリストリームのＹＣｂＣｒ信号のタイプは特定されておらず、再生装置等の情報処理装置は、表示装置（ｄｉｓｐｌａｙ）に応じた出力信号生成処理を行なうことになる。
【０１４９】
［４．具体的な画像属性情報記録例について］
次に、具体的な画像属性情報記録例について説明する。
図１１〜図１６を参照して説明した画像属性情報、すなわち、
（１）ビデオエレメンタリストリームのタイプ情報（ｖｉｄｅｏ＿ｓｔｒｅａｍ＿ｔｙｐｅ）
（２）ビデオエレメンタリストリームのダイナミックレンジ識別フラグ（ｖｉｄｅｏ＿ｄ＿ｒａｎｇｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
（５）ビデオエレメンタリストリーム属性情報［（２）＋（３）＋（４）］（ｖｉｄｅｏ＿ｄ＿ｒａｎｇｅ２）
（６）ビデオエレメンタリストリームのＹＣｂＣｒ情報（ｌｕｍａ＿ｃｈｒｏｍａ＿ｓｉｇｎａｌ＿ｆｏｒｍａｔ）
これらの情報は、エレメンタリストリーム（ＥＳ）単位の画像属性情報として、プログラムマップテーブル（ＰＭＴ）に記録する。
【０１５０】
具体的には、図１０を参照して説明したエレメンタリストリーム単位の属性情報記録領域中のリザーブ領域（ｓｔｕｆｆ  ｂｉｔｓ）を利用して記録する。
以下、具体的な画像属性情報の複数の記録例について説明する。
【０１５１】
［４−１．属性情報記録例１：属性情報（１）（３）（４）（６）を記録した例］
まず、図１７を参照して、属性情報記録例１について説明する。
、属性情報記録例１は、上述した属性情報（１）〜（６）中、（１）（３）（４）（６）を記録した例について説明する。
図１７に示すデータは、先に図１０を参照して説明したデータ、すなわち、ＴＳパケットに格納されるＰＳＩ／ＳＩ情報中のプログラムマップテーブル（ＰＭＴ）の構成データである。具体的には、ＰＭＴ中のデータコンポーネント情報（ＥＳ情報）に記録されるビデオエレメンタリストリーム単位の属性情報の構成データ［ＨＤＭＶ＿ｖｉｄｅｏ＿ｒｅｇｉｓｔｒａｔｉｏｎ＿ｄｅｓｃｒｉｐｔｏｒ］の例である。
【０１５２】
図１７に示すデータフィールド１１１〜１１４は、図１０に示すデータ中のリザーブ領域（ｓｔｕｆｆ  ｂｉｔｓ）１０１〜１０２に対応する。
図１７に示す例は、このリザーブ領域に、上述した属性情報（１）〜（６）中、属性情報（１）（３）（４）（６）を記録した例である。
すなわち、以下の属性情報を記録している。
（１）ビデオエレメンタリストリームのタイプ情報（ｖｉｄｅｏ＿ｓｔｒｅａｍ＿ｔｙｐｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０１５３】
データフィールド１１１には、先に図１１を参照して説明した（１）ビデオエレメンタリストリームのタイプ情報（ｖｉｄｅｏ＿ｓｔｒｅａｍ＿ｔｙｐｅ）を４ビットデータとして記録する。
データフィールド１１２には、先に図１６を参照して説明した（６）ビデオエレメンタリストリームのＹＣｂＣｒ情報（ｌｕｍａ＿ｃｈｒｏｍａ＿ｓｉｇｎａｌ＿ｆｏｒｍａｔ）を４ビットデータとして記録する。
【０１５４】
データフィールド１１３には、先に図１３を参照して説明した（３）ビデオエレメンタリストリームの転送特性（ガンマ特性）情報（ｔｒａｎｓｆｅｒ＿ｃｈａｒａｃｔｅｒｉｓｔｉｃｓ）を４ビットデータとして記録する。
データフィールド１１４には、先に図１６を参照して説明した（６）ビデオエレメンタリストリームのＹＣｂＣｒ情報（ｌｕｍａ＿ｃｈｒｏｍａ＿ｓｉｇｎａｌ＿ｆｏｒｍａｔ）を４ビットデータとして記録する。
【０１５５】
記録媒体からの読み取りデータ、または入力部や通信部を介して入力したデータからトランスポートストリームファイルを取得して再生処理やデータ変換処理等を実行する情報処理装置は、トランスポートストリームファイルに記録されたＰＳＩ／ＳＩ内のプログラムマップテーブル（ＰＭＴ）から図１７に示す画像エレメンタリストリーム単位の属性情報（メタデータ）を読み取る。
よみとった属性情報（メタデータ）に基づいて、この属性情報に対応するＰＩＤ対応の画像エレメンタリストリームの属性を確認することができる。
【０１５６】
図１７に示す設定で、確認可能な画像属性は以下の各属性である。
（１）ビデオエレメンタリストリームのタイプ情報（ｖｉｄｅｏ＿ｓｔｒｅａｍ＿ｔｙｐｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０１５７】
例えば情報記録媒体から読み取ったトランスポートストリーム（ＴＳ）ファイル、あるいは受信部等のデータ入力部から入力したトランスポートストリーム（ＴＳ）ファイルを処理してデータ再生を実行する情報処理装置は、これらの属性を確認した上で、ＴＳパケットに格納された画像データの再生処理を適切に行うことが可能となる。
すなわち、ＳＤＲ画像対応の再生処理や、ＨＤＲ画像対応の再生処理の制御を正しく効率的に実行することが可能となる。
【０１５８】
またＭＰＥＧ−２ＴＳファイルをＭＰ４ファイルに変換して記録する情報処理装置の場合は、図１７に示すデータに基づいて画像属性を確認した上で、ＴＳパケットに格納された画像データの変換処理、すなわち、ＭＰ４ファイルへの変換、ＭＰ４ファイルへのメタデータの記録処理等を確実に行うことが可能となる。
【０１５９】
［４−２．属性情報記録例２：属性情報（２）（３）（４）（６）を記録した例］
次に、図１８を参照して、属性情報記録例２について説明する。
、属性情報記録例２は、上述した属性情報（１）〜（６）中、（２）（３）（４）（６）を記録した例について説明する。
図１８に示すデータは、図１７と同様、先に図１０を参照して説明したデータ、すなわち、ＴＳパケットに格納されるＰＳＩ／ＳＩ情報中のプログラムマップテーブル（ＰＭＴ）の構成データである。具体的には、ＰＭＴ中のデータコンポーネント情報（ＥＳ情報）に記録されるビデオエレメンタリストリーム単位の属性情報の構成データ［ＨＤＭＶ＿ｖｉｄｅｏ＿ｒｅｇｉｓｔｒａｔｉｏｎ＿ｄｅｓｃｒｉｐｔｏｒ］の例である。
【０１６０】
図１８に示すデータフィールド１２１〜１２４は、図１０に示すデータ中のリザーブ領域（ｓｔｕｆｆ  ｂｉｔｓ）１０１〜１０２に対応する。
図１８に示す例は、このリザーブ領域に、上述した属性情報（１）〜（６）中、属性情報（２）（３）（４）（６）を記録した例である。
すなわち、以下の属性情報を記録している。
（２）ビデオエレメンタリストリームのダイナミックレンジ識別フラグ（ｖｉｄｅｏ＿ｄ＿ｒａｎｇｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０１６１】
データフィールド１２１には、先に図１２を参照して説明した（２）ビデオエレメンタリストリームのダイナミックレンジ識別フラグ（ｖｉｄｅｏ＿ｄ＿ｒａｎｇｅ）を４ビットデータとして記録する。
データフィールド１２２には、先に図１６を参照して説明した（６）ビデオエレメンタリストリームのＹＣｂＣｒ情報（ｌｕｍａ＿ｃｈｒｏｍａ＿ｓｉｇｎａｌ＿ｆｏｒｍａｔ）を４ビットデータとして記録する。
【０１６２】
データフィールド１２３には、先に図１３を参照して説明した（３）ビデオエレメンタリストリームの転送特性（ガンマ特性）情報（ｔｒａｎｓｆｅｒ＿ｃｈａｒａｃｔｅｒｉｓｔｉｃｓ）を４ビットデータとして記録する。
データフィールド１２４には、先に図１６を参照して説明した（６）ビデオエレメンタリストリームのＹＣｂＣｒ情報（ｌｕｍａ＿ｃｈｒｏｍａ＿ｓｉｇｎａｌ＿ｆｏｒｍａｔ）を４ビットデータとして記録する。
【０１６３】
記録媒体からの読み取りデータ、または入力部や通信部を介して入力したデータからトランスポートストリームファイルを取得して再生処理やデータ変換処理等を実行する情報処理装置は、トランスポートストリームファイルに記録されたＰＳＩ／ＳＩ内のプログラムマップテーブル（ＰＭＴ）から図１８に示す画像エレメンタリストリーム単位の属性情報（メタデータ）を読み取る。
よみとった属性情報（メタデータ）に基づいて、この属性情報に対応するＰＩＤ対応の画像エレメンタリストリームの属性を確認することができる。
【０１６４】
図１８に示す設定で、確認可能な画像属性は以下の各属性である。
（２）ビデオエレメンタリストリームのダイナミックレンジ識別フラグ（ｖｉｄｅｏ＿ｄ＿ｒａｎｇｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０１６５】
例えば情報記録媒体から読み取ったトランスポートストリーム（ＴＳ）ファイル、あるいは受信部等のデータ入力部から入力したトランスポートストリーム（ＴＳ）ファイルを処理してデータ再生を実行する情報処理装置は、これらの属性を確認した上で、ＴＳパケットに格納された画像データの再生処理を適切に行うことが可能となる。
すなわち、ＳＤＲ画像対応の再生処理や、ＨＤＲ画像対応の再生処理の制御を正しく効率的に実行することが可能となる。
【０１６６】
またＭＰＥＧ−２ＴＳファイルをＭＰ４ファイルに変換して記録する情報処理装置の場合は、図１８に示すデータに基づいて画像属性を確認した上で、ＴＳパケットに格納された画像データの変換処理、すなわち、ＭＰ４ファイルへの変換、ＭＰ４ファイルへのメタデータの記録処理等を確実に行うことが可能となる。
【０１６７】
［４−３．属性情報記録例３：属性情報（５）（６）を記録した例］
次に、図１９を参照して、属性情報記録例３について説明する。
、属性情報記録例３は、上述した属性情報（１）〜（６）中、（５）（６）を記録した例について説明する。
図１９に示すデータは、図１７、図１８と同様、先に図１０を参照して説明したデータ、すなわち、ＴＳパケットに格納されるＰＳＩ／ＳＩ情報中のプログラムマップテーブル（ＰＭＴ）の構成データである。具体的には、ＰＭＴ中のデータコンポーネント情報（ＥＳ情報）に記録されるビデオエレメンタリストリーム単位の属性情報の構成データ［ＨＤＭＶ＿ｖｉｄｅｏ＿ｒｅｇｉｓｔｒａｔｉｏｎ＿ｄｅｓｃｒｉｐｔｏｒ］の例である。
【０１６８】
図１９に示すデータフィールド１３１〜１３２は、図１０に示すデータ中のリザーブ領域（ｓｔｕｆｆ  ｂｉｔｓ）１０１に対応する。
図１９に示す例は、このリザーブ領域に、上述した属性情報（１）〜（６）中、属性情報（５）（６）を記録した例である。
すなわち、以下の属性情報を記録している。
（５）ビデオエレメンタリストリーム属性情報［（２）＋（３）＋（４）］（ｖｉｄｅｏ＿ｄ＿ｒａｎｇｅ２）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０１６９】
データフィールド１３１には、先に図１５を参照して説明した  （５）ビデオエレメンタリストリーム属性情報［（２）＋（３）＋（４）］（ｖｉｄｅｏ＿ｄ＿ｒａｎｇｅ２）を４ビットデータとして記録する。
データフィールド１３２には、先に図１６を参照して説明した（６）ビデオエレメンタリストリームのＹＣｂＣｒ情報（ｌｕｍａ＿ｃｈｒｏｍａ＿ｓｉｇｎａｌ＿ｆｏｒｍａｔ）を４ビットデータとして記録する。
【０１７０】
記録媒体からの読み取りデータ、または入力部や通信部を介して入力したデータからトランスポートストリームファイルを取得して再生処理やデータ変換処理等を実行する情報処理装置は、トランスポートストリームファイルに記録されたＰＳＩ／ＳＩ内のプログラムマップテーブル（ＰＭＴ）から図１９に示す画像エレメンタリストリーム単位の属性情報（メタデータ）を読み取る。
よみとった属性情報（メタデータ）に基づいて、この属性情報に対応するＰＩＤ対応の画像エレメンタリストリームの属性を確認することができる。
【０１７１】
図１９に示す設定で、確認可能な画像属性は以下の各属性である。
（５）ビデオエレメンタリストリーム属性情報［（２）＋（３）＋（４）］（ｖｉｄｅｏ＿ｄ＿ｒａｎｇｅ２）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０１７２】
例えば情報記録媒体から読み取ったトランスポートストリーム（ＴＳ）ファイル、あるいは受信部等のデータ入力部から入力したトランスポートストリーム（ＴＳ）ファイルを処理してデータ再生を実行する情報処理装置は、これらの属性を確認した上で、ＴＳパケットに格納された画像データの再生処理を適切に行うことが可能となる。
すなわち、ＳＤＲ画像対応の再生処理や、ＨＤＲ画像対応の再生処理の制御を正しく効率的に実行することが可能となる。
【０１７３】
またＭＰＥＧ−２ＴＳファイルをＭＰ４ファイルに変換して記録する情報処理装置の場合は、図１９に示すデータに基づいて画像属性を確認した上で、ＴＳパケットに格納された画像データの変換処理、すなわち、ＭＰ４ファイルへの変換、ＭＰ４ファイルへのメタデータの記録処理等を確実に行うことが可能となる。
【０１７４】
［５．情報処理装置の実行するデータ処理のシーケンス例について］
次に、図２０以下に示すフローチャートを参照して情報処理装置の実行するデータ処理のシーケンス例について説明する。
【０１７５】
［５−１．ＭＰＥＧ−２ＴＳフォーマットからＭＰ４フォーマットへの変換処理シーケンス］
まず、図２０に示すフローチャートを参照して情報処理装置が、ＢＤ等の記録媒体、あるいは外部から入力したＭＰＥＧ−２ＴＳファイルをＭＰ４ファイルにフォーマット変換し、フラッシュメモリ等のメディアに記録する、あるいは出力部を介して外部に出力する処理のシーケンスについて説明する。
【０１７６】
図２０に示すフローは、情報処理装置のプログラム実行機能を有するＣＰＵ等を備えたデータ処理部の制御の下で実行される。データ処理部が記憶部に格納されたプログラムを読み出して実行する。
以下、各ステップの処理について、順次、説明する。
【０１７７】
（ステップＳ１０１）
まず、ステップＳ１０１において、ユーザは、フォーマット変換および外部出力の対象となるコンテンツのタイトルを選択する。
例えば、情報処理装置に装着されたＢＤから読み出されたコンテンツタイトルリストを表示部に表示してタイトル選択が実行される。
【０１７８】
（ステップＳ１０２）
ステップＳ１０２において、情報処理装置のデータ処理部は、ユーザが選択したタイトルに対応するクリップ（クリップ情報ファイルとクリップＡＶストリームファイル）を特定する。
【０１７９】
（ステップＳ１０３）
ステップＳ１０３において、情報処理装置のデータ処理部は、ステップＳ１０２で特定されたクリップＡＶストリームファイル、すなわち、ＭＰＥＧ−２ＴＳファイルを読み出す。
ＭＰＥＧ−２ＴＳファイルは先に図３を参照して説明した構成を持つファイルである。
【０１８０】
（ステップＳ１０４）
ステップＳ１０４において、情報処理装置のデータ処理部は、ステップＳ１０３で読み出したＭＰＥＧ−２ＴＳファイルのフォーマット変換を実行してＭＰ４ファイルを生成する。
【０１８１】
このフォーマット変換に際しては、ＭＰＥＧ−２ＴＳファイルのＴＳパケットに格納された属性情報（ＰＳＩ／ＳＩ）のプログラムマップテーブル（ＰＭＴ）を参照して、ＭＰＥＧ−２ＴＳファイルに格納された画像データの属性を確認して、確認した属性に応じた処理を実行する。
具体的には、例えばフォーマット変換対象となる画像データがＨＤＲ画像かＳＤＲ画像かを確認し、確認結果に応じてＭＰ４ファイルに格納した画像の属性情報をＭＰ４ファイルの画像メタデータ格納領域に記録する処理などを行う。
【０１８２】
なお、プログラムマップテーブル（ＰＭＴ）に基づいて確認される画像属性には、先に図１１〜図１６を参照して説明したように以下の属性がある。
（１）ビデオエレメンタリストリームのタイプ情報（ｖｉｄｅｏ＿ｓｔｒｅａｍ＿ｔｙｐｅ）
（２）ビデオエレメンタリストリームのダイナミックレンジ識別フラグ（ｖｉｄｅｏ＿ｄ＿ｒａｎｇｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
（５）ビデオエレメンタリストリーム属性情報［（２）＋（３）＋（４）］（ｖｉｄｅｏ＿ｄ＿ｒａｎｇｅ２）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０１８３】
ＭＰＥＧ−２ＴＳファイルをＭＰ４ファイルに変換して記録する情報処理装置は、上記の各データに基づいて画像属性を確認した上で、ＴＳパケットに格納された画像データのＭＰ４ファイルへの変換や、ＭＰ４ファイルへのメタデータの記録処理等を確実に行うことが可能となる。
【０１８４】
（ステップＳ１０５）
ステップＳ１０５において、情報処理装置のデータ処理部は、ステップＳ１０４で生成したＭＰ４ファイルをフラッシュメモリ等の第２の記録媒体に記録、あるいは通信部、出力部等を介して外部機器、または外部メディアに出力する。
【０１８５】
これらの処理により、ＭＰＥＧ−２ＴＳファイルからＭＰ４ファイルへのフォーマット変換、および第２メディアに対するＭＰ４ファイルの記録または外部出力が完了する。
情報処理装置は、フォーマット変換時に、処理対象となる画像ストリームがＨＤＲ画像であるか、ＳＤＲ画像であるかに応じた制御を実行する。具体的には、ＭＰ４ファイルのメタデータ記録領域に、ＭＰＥＧ−２ＴＳファイルに記録された画像属性（例  えばＨＤＲ画像かＳＤＲ画像か等）を正しく記録する。
ＭＰ４ファイルの再生処理を実行する再生装置は、このメタデータを参照して画像属性に応じた正しい再生処理を実行することが可能となる。
【０１８６】
［５−２．ＭＰＥＧ−２ＴＳフォーマットデータの再生処理シーケンス］
次に、図２１に示すフローチャートを参照して情報処理装置が記録媒体、あるいは外部から入力したＭＰＥＧ−２ＴＳファイルの再生を実行する処理のシーケンスについて説明する。
【０１８７】
図２１に示すフローは、情報処理装置のプログラム実行機能を有するＣＰＵ等を備えたデータ処理部の制御の下で実行される。データ処理部が記憶部に格納されたプログラムを読み出して実行する。
以下、各ステップの処理について、順次、説明する。
【０１８８】
（ステップＳ１５１）
まず、ステップＳ１５１において、情報処理装置のデータ処理部は、記録媒体、あるいは外部からＭＰＥＧ−２ＴＳファイルを入力する。
【０１８９】
（ステップＳ１５２）
ステップＳ１５２において、情報処理装置のデータ処理部は、ステップＳ１５１で入力したＭＰＥＧ−２ＴＳファイルのＴＳパケットに格納された属性情報（ＰＳＩ／ＳＩ）のプログラムマップテーブル（ＰＭＴ）を参照して、ＭＰＥＧ−２ＴＳファイルに格納された画像データの属性を確認して、確認した属性に応じた処理を実行する。
具体的には、例えば再生対象となる画像データがＨＤＲ画像かＳＤＲ画像かを確認し、確認結果に応じて再生処理や出力処理の設定を実行する。
【０１９０】
なお、プログラムマップテーブル（ＰＭＴ）に基づいて確認される画像属性には、先に図１１〜図１６を参照して説明したように以下の属性がある。
（１）ビデオエレメンタリストリームのタイプ情報（ｖｉｄｅｏ＿ｓｔｒｅａｍ＿ｔｙｐｅ）
（２）ビデオエレメンタリストリームのダイナミックレンジ識別フラグ（ｖｉｄｅｏ＿ｄ＿ｒａｎｇｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
（５）ビデオエレメンタリストリーム属性情報［（２）＋（３）＋（４）］（ｖｉｄｅｏ＿ｄ＿ｒａｎｇｅ２）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０１９１】
ＭＰＥＧ−２ＴＳファイルの再生を実行する情報処理装置は、上記の各データに基づいて画像属性を確認した上で、ＴＳパケットに格納された画像データがＨＤＲ画像である場合は、ＨＤＲ画像用の再生制御、出力制御を実行し、ＴＳパケットに格納された画像データがＳＤＲ画像である場合は、ＳＤＲ画像用の再生制御、出力制御を実行することが可能となる。
【０１９２】
（ステップＳ１５３）
ステップＳ１５３において、情報処理装置のデータ処理部は、ステップＳ１５２において実行して設定に従ってＴＳパケットに格納された画像データの再生、出力を実行する。
【０１９３】
これらの処理により、ＭＰＥＧ−２ＴＳファイルに格納されたデータ再生が行われる。
再生装置は、再生処理対象となる画像ストリームがＨＤＲ画像であるか、ＳＤＲ画像であるかに応じた制御を実行することが可能となる。
すなわち、ＭＰＥＧ２−ＴＳファイルから直接、ＭＰＥＧ−２ＴＳファイルに記録された画像属性（例えばＨＤＲ画像かＳＤＲ画像か等）が取得されるので、例えばプレイリストファイル等のデータベースファイルが取得できない場合でも、ＴＳパケットに格納された画像の属性（例えばＨＤＲかＳＤＲか）に応じた正しい再生処理を実行することが可能となる。
【０１９４】
［５−３．ＭＰＥＧ−２ＴＳファイルの生成処理シーケンスについて（ビデオストリームタイプの設定）］
次に、図２２に示すフローチャートを参照して情報処理装置がＭＰＥＧ−２ＴＳファイルの生成処理を実行する処理シーケンスについて説明する。
例えば撮像装置において撮影されたＨＤＲ画像、あるいはＳＤＲ画像を入力して、入力画像を格納したＭＰＥＧ−２ＴＳファイルの生成処理を実行する処理シーケンスである。
【０１９５】
図２２に示すフローは、情報処理装置のプログラム実行機能を有するＣＰＵ等を備えたデータ処理部の制御の下で実行される。データ処理部が記憶部に格納されたプログラムを読み出して実行する。
以下、各ステップの処理について、順次、説明する。
【０１９６】
（ステップＳ２０１）
まず、ステップＳ２０１において、情報処理装置のデータ処理部は、ＭＰＥＧ−２ＴＳファイルに格納する画像が、デュアル（ｄｕａｌ）ストリームか、シングル（ｓｉｎｇｌｅ）ストリームかを判別する。
【０１９７】
先に図１１を参照して説明したように、画像ストリームの種類としては、
ＳＤＲビデオシングルストリーム
ＨＤＲビデオシングルストリーム、
ＨＤＲビデオデュアルストリーム、
これらの３種類がある。
ＨＤＲビデオデュアルストリームは、ＨＤＲビデオ基本ストリームとＨＤＲビデオ拡張ストリームの２本（デュアル）のストリームから構成される。
【０１９８】
ステップＳ２０１では、情報処理装置のデータ処理部は、ＭＰＥＧ−２ＴＳファイルに格納する画像が、デュアル（ｄｕａｌ）ストリームか、シングル（ｓｉｎｇｌｅ）ストリームかを判別する。
デュアルストリームである場合はステップＳ２０２に進み、シングルストリームである場合はステップＳ２０３に進む。
【０１９９】
（ステップＳ２０２）
ＭＰＥＧ−２ＴＳファイルに格納する画像がデュアル（ｄｕａｌ）ストリームである場合、ステップＳ２０２に進む。
【０２００】
デュアル（ｄｕａｌ）ストリームである場合、ＭＰＥＧ−２ＴＳファイルに格納する画像ストリームは、
ＨＤＲビデオ基本ストリーム、
ＨＤＲビデオ拡張ストリーム、
これら２つの画像ストリームから構成されることになる。
【０２０１】
それぞれ異なるＴＳパケットに格納するが、その際、これらの各ストリーム（ＥＳ：エレメンタリストリーム）単位の属性情報をＰＳＩ／ＳＩのプログラムケマッフテーブル（ＰＭＴ）に記録する。
具体的には、
ＨＤＲビデオ基本ストリームのビデオストリームタイプ（ｖｉｄｅｏ＿ｓｔｒｅａｍ＿ｔｙｐｅ）を２、
ＨＤＲビデオ拡張ストリームのビデエストリームタイプ（ｖｉｄｅｏ＿ｓｔｒｅａｍ＿ｔｙｐｅ）を３、
にセットする
これらの設定は、先に図１１を参照して説明した属性情報設定例に対応したものである。
【０２０２】
（ステップＳ２０３）
一方、ステップＳ２０１において、ＭＰＥＧ−２ＴＳファイルに格納する画像がシングル（ｓｉｎｇｌｅ）ストリームである場合、ステップＳ２０３に進む。
ステップＳ２０３では、ＭＰＥＧ−２ＴＳファイルに格納する画像が、
ＨＤＲビデオテトリームか、
ＳＤＲビデオストリームか、
を判別する。
【０２０３】
ＭＰＥＧ−２ＴＳファイルに格納する画像がＳＤＲビデオテトリームである場合は、ステップＳ２０４に進む。
ＭＰＥＧ−２ＴＳファイルに格納する画像がＨＤＲビデオテトリームである場合は、ステップＳ２０５に進む。
【０２０４】
（ステップＳ２０４）
ＭＰＥＧ−２ＴＳファイルに格納する画像がＳＤＲビデオテトリームである場合は、ステップＳ２０４において、このストリーム（ＥＳ：エレメンタリストリーム）単位の属性情報をＰＳＩ／ＳＩのプログラムケマッフテーブル（ＰＭＴ）に記録する。
具体的には、
ＳＤＲビデオストリームのビデオストリームタイプ（ｖｉｄｅｏ＿ｓｔｒｅａｍ＿ｔｙｐｅ）を０、
にセットする
この設定は、先に図１１を参照して説明した属性情報設定例に対応したものである。
【０２０５】
（ステップＳ２０５）
一方、ＭＰＥＧ−２ＴＳファイルに格納する画像がＨＤＲビデオテトリームである場合は、ステップＳ２０５において、このストリーム（ＥＳ：エレメンタリストリーム）単位の属性情報をＰＳＩ／ＳＩのプログラムケマッフテーブル（ＰＭＴ）に記録する。
具体的には、
ＨＤＲビデオストリームのビデオストリームタイプ（ｖｉｄｅｏ＿ｓｔｒｅａｍ＿ｔｙｐｅ）を１、
にセットする
この設定は、先に図１１を参照して説明した属性情報設定例に対応したものである。
【０２０６】
［５−４．ＭＰＥＧ−２ＴＳファイルの生成処理シーケンスについて（ビデオストリームタイプ以外の属性の設定）］
次に、図２３に示すフローチャートを参照して情報処理装置がＭＰＥＧ−２ＴＳファイルの生成処理を実行する処理シーケンスについて説明する。
図２２のフローでは、ビデオストリームタイプの設定シーケンスのみ説明したが、図２３のフローは、ビデオストリームタイプ以外の属性設定シーケンスである。
ＭＰＥＧ−２ＴＳファイルの生成に際しては、図２２に示すフローと図２３に示すフローを連続的に実行することになる。
【０２０７】
図２３に示すフローも、図２２に示すフロー同様、例えば撮像装置において撮影されたＨＤＲ画像、あるいはＳＤＲ画像を入力して、入力画像を格納したＭＰＥＧ−２ＴＳファイルの生成処理を実行する処理シーケンスである。
【０２０８】
図２３に示すフローは、情報処理装置のプログラム実行機能を有するＣＰＵ等を備えたデータ処理部の制御の下で実行される。データ処理部が記憶部に格納されたプログラムを読み出して実行する。
以下、各ステップの処理について、順次、説明する。
【０２０９】
（ステップＳ３０１）
まず、ステップＳ３０１において、情報処理装置のデータ処理部は、ＭＰＥＧ−２ＴＳファイルに格納する画像の転送特性（ｔｒａｎｓｆｅｒ＿ｃｈａｒａｃｔｅｒｉｓｉｃｓ）を取得し、取得した画像の転送特性（ｔｒａｎｓｆｅｒ＿ｃｈａｒａｃｔｅｒｉｓｉｃｓ）を各ストリーム（ＥＳ：エレメンタリストリーム）単位の属性情報をＰＳＩ／ＳＩのプログラムケマッフテーブル（ＰＭＴ）に記録する。
【０２１０】
具体的には、先に図１３を参照して説明した設定値を記録する。
すなわち、以下のいずれかのビット値を記録する。
０（＝００００）：特定せず（ｕｎｓｐｅｃｉｆｉｅｄ）
１（＝０００１）：このエレメンタリストリームはＩＴＵ−Ｒ  ＢＴ．７０９−５準拠の光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて作成された画像であることを示す。（このエレメンタリストリームのビデオを表示するディスプレイはＩＴＵ−Ｒ  ＢＴ．１８８６に準拠した電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）を適用した表示処理を実行することを想定）
２（＝００１０）：このエレメンタリストリームのビデオを表示するディスプレイはＳＭＰＴＥ  ＳＴ２０８４に準拠した電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）を適用した表示処理を実行することを想定）
【０２１１】
なお、入力画像の転送特性（ｔｒａｎｓｆｅｒ＿ｃｈａｒａｃｔｅｒｉｓｉｃｓ）取得処理は、入力画像に付属する属性情報（ＶＵＩ）から読み取るか、あるいは情報処理装置のＴＳ多重化部に入力された情報から取得するなどの処理によって行われる。
【０２１２】
（ステップＳ３０２）
次に、ステップＳ３０２において、情報処理装置のデータ処理部は、ＭＰＥＧ−２ＴＳファイルに格納する画像の色情報（ｃｏｌｏｕｒ＿ｐｒｉｍａｒｉｅｓ）を取得し、取得した画像の色情報（ｃｏｌｏｕｒ＿ｐｒｉｍａｒｉｅｓ）を各ストリーム（ＥＳ：エレメンタリストリーム）単位の属性情報をＰＳＩ／ＳＩのプログラムケマッフテーブル（ＰＭＴ）に記録する。
【０２１３】
具体的には、先に図１４を参照して説明した設定値を記録する。
すなわち、以下のいずれかのビット値を記録する。
０（＝００００）：特定せず（ｕｎｓｐｅｃｉｆｉｅｄ）
１（＝０００１）：このエレメンタリストリームはＩＴＵ−Ｒ  ＢＴ．７０９−５準拠の３元色点と基準色を有することを示す。
２（＝００１０）：このエレメンタリストリームはＩＴＵ−Ｒ  ＢＴ．２０２０準拠の３元色点と基準色を有することを示す。
【０２１４】
なお、入力画像の色情報（ｃｏｌｏｕｒ＿ｐｒｉｍａｒｉｅｓ）取得処理は、入力画像に付属する属性情報（ＶＵＩ）から読み取るか、あるいは情報処理装置のＴＳ多重化部に入力された情報から取得するなどの処理によって行われる。
【０２１５】
（ステップＳ３０３）
次に、ステップＳ３０３において、情報処理装置のデータ処理部は、ＭＰＥＧ−２ＴＳファイルに格納する画像のＹＣｂＣｒ情報（ｌｕｍａ＿ｃｈｒｏｍａ＿ｓｉｇｎａｌ＿ｆｏｒｍａｔ）を取得し、取得した画像のＹＣｂＣｒ情報（ｌｕｍａ＿ｃｈｒｏｍａ＿ｓｉｇｎａｌ＿ｆｏｒｍａｔ）を各ストリーム（ＥＳ：エレメンタリストリーム）単位の属性情報をＰＳＩ／ＳＩのプログラムケマッフテーブル（ＰＭＴ）に記録する。
【０２１６】
具体的には、先に図１６を参照して説明した設定値を記録する。
すなわち、以下のいずれかのビット値を記録する。
０（＝００００）：このエレメンタリストリームは非定輝度タイプのＹＣｂＣｒ信号（Ｙ'  Ｃ'ｂ  Ｃ'ｒ）を有することを示す。
１（＝０００１）：このエレメンタリストリームは定輝度タイプのＹＣｂＣｒ信号（Ｙ'ｃ  Ｃ'ｂｃ  Ｃ'ｒｃ）を有することを示す。
２（＝００１０）：特定せず（ｕｎｓｐｅｃｉｆｉｅｄ）
【０２１７】
なお、入力画像のＹＣｂＣｒ情報（ｌｕｍａ＿ｃｈｒｏｍａ＿ｓｉｇｎａｌ＿ｆｏｒｍａｔ）取得処理は、入力画像に付属する属性情報（ＶＵＩ）から読み取るか、あるいは情報処理装置のＴＳ多重化部に入力された情報から取得するなどの処理によって行われる。
【０２１８】
ＭＰＥＧ−２ＴＳファイルの生成に際しては、図２２に示すフローと図２３に示すフローを連続的に実行することになる。
これらの処理によって、例えば先に図１７に示すストリーム単位の画像属性情報が記録されたプログラムマップテーブル（ＰＭＴ）が完成し、このＰＭＴを含むＰＳＩ／ＳＩをＴＳパケットに格納したＭＰＥＧ−２ＴＳファイルが生成される。
【０２１９】
なお、図２２、図２３を参照して説明した処理は、図１７に示す属性情報記録例に対応した処理シーケンスである。
図１８に示す記録例や図１９に示す記録例に従った属性情報を記録する場合は、各記録例に含まれる属性情報を取得してＰＭＴに記録する処理を実行することになる。
【０２２０】
［６．情報処理装置の構成例について］
次に、上述した実施例に従った処理を実行する情報処理装置の構成例について説明する。
【０２２１】
［６−１．フォーマット変換およびデータ記録処理を実行する情報処理装置の構成例について］
まず、図２４、図２５を参照してフォーマット変換およびデータ記録処理を実行する情報処理装置の構成例について説明する。
図２４に示す情報処理装置６００は、第１メディア６１０に記録されたＭＰＥＧ−２ＴＳフォーマットデータを変換して生成したＭＰ４フォーマットデータを第２メディア６２０に記録する情報処理装置である。
【０２２２】
情報処理装置６００は、例えばＢＤ（Ｂｌｕ−ｒａｙ（登録商標）  Ｄｉｓｃ）等の情報記録媒体である第１メディア６１０に記録されたデータを読み出し、フラッシュメモリ等の情報記録媒体である第２メディア６２０に記録する、いわゆるコピー処理を行なう。
あるいは、通信部６０３を介して入力したデータをフラッシュメモリ等の第２メディア６２０に記録する処理を行なう。
【０２２３】
なお、第１メディア６１０、あるいは通信部６０３を介して入力するデータのデータフォーマットを第１フォーマット、第２メディア６２０に対して記録するデータのフォーマットを第２フォーマットとする。
【０２２４】
情報処理装置は、第１メディア６１０、あるいは通信部６０３を介して入力する第１フォーマットのデータをフラッシュメモリ等の第２メディア６２０に記録する際に、第１フォーマットデータを第２フォーマットデータに変換する処理を行なう。
【０２２５】
なお、上述した実施例では、第１メディア６１０、または通信部６０３から入力するデータのフォーマットはＭＰＥＧ−２ＴＳフォーマットであり、第２メディアの記録フォーマットはＭＰ４フォーマットである。
情報処理装置６００は、第２メディア６２０に対するデータ記録処理に際して、ＭＰＥＧ−２ＴＳフォーマットからＭＰ４フォーマットへのフォーマット変換を実行する。
【０２２６】
情報処理装置６００は、図２４に示すように、制御部６０１、入力部６０２、通信部６０３、記憶部６０４、出力部６０５、第１メディアＩＦ（インタフェース）６０６、データバッファ６０７、データ変換部６０８、第２メディアＩＦ６０９を有する。
【０２２７】
制御部６０１は、メディアを利用したデータ記録再生、メディア間のデータコピー処理等、情報処理装置６００において実行するデータ処理の制御を行う、これらの制御は、例えば記憶部６０４に格納されたプログラム従って行われる。
【０２２８】
入力部６０２は、ユーザの操作可能なスイッチ、ボタン、タッチパネル等の入力部であり、再生、コピー、記録等の様々な処理の指示入力などを行う入力部である。
また、入力部６０２は、メディアに記録する画像や音声等を入力する撮像部、マイクを持つ構成としてもよい。
通信部６０３は、例えば外部サーバ、あるいは外部機器との通信を行い、メディアに対する記録データや、記録データに関する制御情報、あるいはコピー処理の許可情報の取得など、各種の通信処理に利用される。
【０２２９】
記憶部６０４は、制御部６０１の実行するプログラムや、プログラム実行に用いるパラメータ等の記憶領域、さらにプログラム実行時のワーク領域等に利用される。
具体的には、第２メディア６２０に対するデータ記録時に第１メディア６１０から読み出したデータ、あるいは通信部６０３を介して入力したデータを一時的に格納する領域としても利用される。
記憶部６０４は、例えばＲＡＭ、ＲＯＭ等によって構成される。
出力部６０５は、外部装置に対する出力部や、メディアからの再生データの出力部によって構成される。例えば、第２メディア６２０に対するデータ記録処理の進行状況の表示、ユーザに対するメッセージ表示などに利用され、ディスプレイやスピーカ等を含む。
【０２３０】
第１メディアインタフェース（ＩＦ）６０６は、例えばＢＤ（Ｂｌｕ−ｒａｙ（登録商標）  Ｄｉｓｃ）等の第１メディア６１０に対するアクセスを行い、第１メディア６１０に対するデータ記録やデータ読み取りを行なうデータ記録再生部として機能するインタフェースである。
【０２３１】
データバッファ６０７は、第１メディア６１０からの読み出しデータや、通信部６０３から入力するデータを一時的に格納するバッファである。例えば第２メディア６２０に記録するデータを一時的に格納する。
データ変換部６０８は、第１メディア６１０の記録データ、あるいは通信部６０３を介して入力するデータのフォーマットである第１フォーマットのデータを、データ記録先である第２メディア６２０に記録する際のデータフォーマットである第２フォーマットに変換するフォーマット変換処理を実行する。
【０２３２】
第２メディアインタフェース（ＩＦ）６０９は、第２メディア６２０に対するアクセスを行い、第２メディア６２０に対するデータ記録あるいは読み取り処理を行なうデータ記録再生部として機能するインタフェースである。
【０２３３】
このように、情報処理装置６００は、第１メディア６１０、あるいは通信部６０３を介して入力する第１フォーマットのデータをフラッシュメモリ等の第２メディア６２０に記録する処理を行なう。この処理の際に、第１フォーマットデータを第２フォーマットデータに変換する処理を行なう。
なお、第１フォーマットとは、例えはＭＰＥＧ−２ＴＳフォーマットデータであり、第２フォーマットは、ＭＰ４フォーマットデータである。
【０２３４】
なお、情報処理装置６００は、第１メディア６１０から取得出来ないデータを外部のサーバから通信部６０３を介して取得し、第１メディア６１０からの読み取りデータと、通信部６０３を介して取得した受信データを併せて第２メディア６２０に記録する処理を行なってもよい。
【０２３５】
また、図２４に示す構成において、第１メディア６１０は、例えば、ＢＤ（Ｂｌｕ−ｒａｙ（登録商標）  Ｄｉｓｃ）である。第２メディア６２０は、例えばＳＤカード等のフラッシュメモリである。
なお、第１メディア６１０、第２メディア６２０は、上記の組み合わせに限らず、様々な組み合わせが可能である。
【０２３６】
次に、図２５を参照してデータ変換部６０８の詳細構成について説明する。
図２５に示すように、データ変換部６０８は、データ解析部６５０、属性情報（ＰＳＩ／ＳＩ）解析部６５１、画像データ変換部６５２、音声データ変換部６５３、字幕データ変換部６５４、多重化処理実行部６５５を有する。
【０２３７】
データ解析部６５０は、データバッファ６０７に格納された第１メディア６１０からの読み出しデータ、または通信部６０３を介して入力するデータ（パケット）に設定された識別子（ＰＩＤ：プログラムＩＤ）に基づいて、各データ（パケット）を、
画像データ、
音声データ、
字幕データ、
属性情報（ＰＳＩ／ＳＩ）、
これら各種類のデータに分類する。
【０２３８】
データ解析部６５０は、属性情報（ＰＳＩ／ＳＩ）を属性情報（ＰＳＩ／ＳＩ）解析部６５１に出力する。さらに画像データを画像データ変換部６５２に出力し、音声データを音声データ変換部６５３に出力し、字幕データを字幕データ変換部６５４に出力する。
【０２３９】
属性情報（ＰＳＩ／ＳＩ）解析部６５１は、ＰＳＩ／ＳＩ内のプログラムマップテーブル（ＰＭＴ）から、エレメンタリストリーム単位の属性情報を取得する。
プログラムマップテーブル（ＰＭＴ）は、先に図９を参照して説明した構成を有し、この中に例えば図１７〜図１９を参照して説明した画像エレメンタリストリームの画像属性情報等が記録されている。
【０２４０】
ＰＭＴに記録されているストリーム（ＥＳ）単位の画像属性情報は、例えば、先に図１１〜図１６を参照して説明した以下の情報である。
（１）ビデオエレメンタリストリームのタイプ情報（ｖｉｄｅｏ＿ｓｔｒｅａｍ＿ｔｙｐｅ）
（２）ビデオエレメンタリストリームのダイナミックレンジ識別フラグ（ｖｉｄｅｏ＿ｄ＿ｒａｎｇｅ）
（３）ビデオエレメンタリストリームの転送特性（ガンマ特性）情報（ｔｒａｎｓｆｅｒ＿ｃｈａｒａｃｔｅｒｉｓｔｉｃｓ）
（４）ビデオエレメンタリストリームの色情報（ｃｏｌｏｕｒ＿ｐｒｉｍａｒｉｅｓ）
（５）ビデオエレメンタリストリーム属性情報［（２）＋（３）＋（４）］（ｖｉｄｅｏ＿ｄ＿ｒａｎｇｅ２）
（６）ビデオエレメンタリストリームのＹＣｂＣｒ情報（ｌｕｍａ＿ｃｈｒｏｍａ＿ｓｉｇｎａｌ＿ｆｏｒｍａｔ）
【０２４１】
属性情報（ＰＳＩ／ＳＩ）解析部６５１は、ＰＳＩ／ＳＩ内のプログラムマップテーブル（ＰＭＴ）から、例えば上記の各情報を取得し、多重化処理実行部６５５に出力する。
多重化処理実行部６５５は、ＭＰ４ファイルに格納する画像データに対応するメタデータ記録領域に上記の（１）〜（６）に対応する属性情報を記録したＭＰ４ファィルを生成する。
【０２４２】
画像データ変換部６５２、音声データ変換部６５３、字幕データ変換部６５４は、入力データのデータフォーマットである第１フォーマット、例えばＭＰＥＧ−２ＴＳフォーマットデータを、第２メディア６２０に記録する第２フォーマット、具体的には例えばＭＰ４形式のフォーマットデータに変換する処理を実行する。
【０２４３】
すなわち、画像データ変換部６５２は、第２メディア６２０に対するデータ記録フォーマットであるＭＰ４フォーマットの画像データを生成して多重化処理実行部６５５に出力する。
音声データ変換部６５３は、ＭＰ４フォーマットの音声データを生成して多重化処理実行部６５５に出力する。
字幕データ変換部６５４は、ＭＰ４フォーマットの字幕データを生成して多重化処理実行部６５５に出力する。
【０２４４】
多重化処理部６５５は、
（ａ）画像データ生成部６５２の生成した第２フォーマット（ＭＰ４）形式の画像フォーマットデータ、
（ｂ）音声データ生成部６５３の生成した第２フォーマット（ＭＰ４）形式の音声フォーマットデータ、
（ｃ）字幕データ生成部６５４の生成した第２フォーマット（ＭＰ４）形式の字幕フォーマットデータ、
（ｄ）属性情報（ＰＳＩ／ＳＩ）解析部６５１が生成した第２フォーマット（ＭＰ４）形式のメタデータ、
例えば、これらの各データの多重化処理を実行して、第２フォーマット（ＭＰ４）形式の記録データを生成する。
【０２４５】
多重化処理実行部６５５の生成データは、第２メディアインタフェース６０９を介して第２メディア６２０に記録される。
【０２４６】
このように、情報処理装置６００は、第１メディア６１０の記録データ、あるいは通信部６０３を介して入力する第１フォーマット（ＭＰＥＧ−２ＴＳフォーマット）のデータを、第２メディア６２０の記録フォーマットである第２フォーマット（ＭＰ４）に変換して、第２メディア６２０に記録する処理を実行する。
【０２４７】
［６−２．データ再生、またはデータ生成、記録処理を実行する情報処理装置の構成例について］
次に、ＭＰ４フォーマットデータの再生処理を実行する情報処理装置や、ＭＰ４フォーマットデータの生成処理、記録処理等を実行する情報処理装置のハードウェア構成例について、図２６を参照して説明する。
【０２４８】
ＣＰＵ（Ｃｅｎｔｒａｌ  Ｐｒｏｃｅｓｓｉｎｇ  Ｕｎｉｔ）７０１は、ＲＯＭ（Ｒｅａｄ  Ｏｎｌｙ  Ｍｅｍｏｒｙ）７０２、または記憶部７０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）７０３には、ＣＰＵ７０１が実行するプログラムやデータなどが記憶される。これらのＣＰＵ７０１、ＲＯＭ７０２、およびＲＡＭ７０３は、バス７０４により相互に接続されている。
【０２４９】
ＣＰＵ７０１はバス７０４を介して入出力インタフェース７０５に接続され、入出力インタフェース７０５には、各種スイッチ、キーボード、マウス、マイクロホンなどよりなる入力部７０６、ディスプレイ、スピーカなどよりなる出力部７０７が接続されている。ＣＰＵ７０１は、入力部７０６から入力される指令に対応して各種の処理を実行し、処理結果を例えば出力部７０７に出力する。
【０２５０】
入出力インタフェース７０５に接続されている記憶部７０８は、例えばハードディスク等からなり、ＣＰＵ７０１が実行するプログラムや各種のデータを記憶する。通信部７０９は、インターネットやローカルエリアネットワークなどのネットワークを介したデータ通信の送受信部、さらに放送波の送受信部として機能し、外部の装置と通信する。
【０２５１】
入出力インタフェース７０５に接続されているドライブ７１０は、磁気ディスク、光ディスク、光磁気ディスク、あるいはメモリカード等の半導体メモリなどのリムーバブルメディア７１１を駆動し、データの記録あるいは読み取りを実行する。
【０２５２】
なお、データの符号化あるいは復号は、データ処理部としてのＣＰＵ７０１の処理として実行可能であるが、符号化処理あるいは復号処理を実行するための専用ハードウェアとしてのコーデックを備えた構成としてもよい。
【０２５３】
［７．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２５４】
なお、本明細書において開示した技術は、以下のような構成をとることができる。
（１）  データ処理部が、処理対象データを格納したトランスポートストリーム（ＴＳ）ファイルを取得し、
トランスポートストリーム（ＴＳ）ファイルに格納された画像属性情報を取得し、
取得した画像属性情報を適用したフォーマット変換、または出力処理を実行する構成であり、
前記画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含み、
前記データ処理部は、
フォーマット変換、または出力処理の対象となる画像ストリームがＨＤＲ画像であるか、ＳＤＲ画像であるかに応じた制御を実行する情報処理装置。
【０２５５】
（２）前記データ処理部は、
トランスポートストリーム（ＴＳ）ファイルを、ＭＰ４ファイルに変換するフォーマット変換を実行し、
トランスポートストリーム（ＴＳ）ファイルに格納された画像ストリーム単位の画像属性情報を取得して、ＭＰ４ファイルのメタデータ格納領域に格納する処理を実行する（１）に記載の情報処理装置。
【０２５６】
（３）前記データ処理部は、
トランスポートストリーム（ＴＳ）ファイルに格納されたデータの再生処理を実行し、
トランスポートストリーム（ＴＳ）ファイルに格納された画像ストリーム単位の画像属性情報を取得して、再生対象データがＨＤＲ画像であるか、ＳＤＲ画像であるかを判別して判別結果に応じた再生制御を行う（１）に記載の情報処理装置。
【０２５７】
（４）前記画像属性情報は、トランスポートストリーム（ＴＳ）ファイル内のＰＳＩ／ＳＩデータ内のプログラムマップテーブル（ＰＭＴ）に記録され、
前記データ処理部は、
プログラムマップテーブル（ＰＭＴ）から、画像ストリーム単位の画像属性情報を取得する（１）〜（３）いずれかに記載の情報処理装置。
【０２５８】
（５）トランスポートストリーム（ＴＳ）ファイルに格納された画像ストリームが、ＨＤＲ画像である場合、
前記画像属性情報は、
ＨＤＲ画像ストリームが基本ＨＤＲ画像ストリームであるか、拡張ＨＤＲ画像ストリームであるかを識別可能な情報を含む（１）〜（４）いずれかに記載の情報処理装置。
【０２５９】
（６）前記画像属性情報は、
トランスポートストリーム（ＴＳ）ファイルに格納された画像ストリームの転送特性（ガンマ特性）を識別可能な情報を含む（１）〜（５）いずれかに記載の情報処理装置。
【０２６０】
（７）前記画像属性情報は、
トランスポートストリーム（ＴＳ）ファイルに格納された画像ストリームの色情報を識別可能な情報を含む（１）〜（６）いずれかに記載の情報処理装置。
【０２６１】
（８）前記画像属性情報は、
トランスポートストリーム（ＴＳ）ファイルに格納された画像ストリームのＹＣｂＣｒ情報を識別可能な情報を含む（１）〜（７）いずれかに記載の情報処理装置。
【０２６２】
（９）トランスポートストリーム（ＴＳ）ファイルを生成するデータ処理部を有し、
前記データ処理部は、
トランスポートストリーム（ＴＳ）ファイルに格納する画像ストリーム単位の画像属性情報として、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報をトランスポートストリーム（ＴＳ）ファイルに格納する情報処理装置。
【０２６３】
（１０）前記データ処理部は、
前記画像属性情報を、トランスポートストリーム（ＴＳ）ファイル内のＰＳＩ／ＳＩデータ内のプログラムマップテーブル（ＰＭＴ）に記録する（９）に記載の情報処理装置。
【０２６４】
（１１）トランスポートストリーム（ＴＳ）ファイルに格納する画像ストリームが、ＨＤＲ画像である場合、
前記データ処理部は、
ＨＤＲ画像ストリームが基本ＨＤＲ画像ストリームであるか、拡張ＨＤＲ画像ストリームであるかを識別可能な情報を含む画像属性情報をトランスポートストリーム（ＴＳ）ファイルに格納する（９）〜（１０）いずれかに記載の情報処理装置。
【０２６５】
（１２）前記データ処理部は、
トランスポートストリーム（ＴＳ）ファイルに格納する画像ストリームの転送特性（ガンマ特性）を識別可能な画像属性情報をトランスポートストリーム（ＴＳ）ファイルに格納する（９）〜（１１）いずれかに記載の情報処理装置。
【０２６６】
（１３）前記データ処理部は、
トランスポートストリーム（ＴＳ）ファイルに格納する画像ストリームの色情報を識別可能な画像属性情報をトランスポートストリーム（ＴＳ）ファイルに格納する（９）〜（１２）いずれかに記載の情報処理装置。
【０２６７】
（１４）前記データ処理部は、
トランスポートストリーム（ＴＳ）ファイルに格納する画像ストリームのＹＣｂＣｒ情報を識別可能な画像属性情報をトランスポートストリーム（ＴＳ）ファイルに格納する（９）〜（１３）いずれかに記載の情報処理装置。
【０２６８】
（１５）トランスポートストリーム（ＴＳ）ファイルを記録した情報記録媒体であり、
前記トランスポートストリーム（ＴＳ）ファイルは、
トランスポートストリーム（ＴＳ）ファイルに格納された画像ストリーム単位の画像属性情報を含み、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を記録した構成であり、
前記データ処理部は、
トランスポートストリーム（ＴＳ）ファイルを読み取り、フォーマット変換、または出力処理を実行する情報処理装置において、処理対象となる画像ストリームがＨＤＲ画像であるか、ＳＤＲ画像であるかに応じた制御を実行することを可能とした情報記録媒体。
【０２６９】
（１６）情報処理装置において実行する情報処理方法であり、
前記情報処理装置のデータ処理部が、処理対象データを格納したトランスポートストリーム（ＴＳ）ファイルを取得するファイル取得ステップと、
トランスポートストリーム（ＴＳ）ファイルに格納された画像属性情報を取得し、
取得した画像属性情報を適用したフォーマット変換、または出力処理を実行する処理実行ステップを実行し、
前記画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含み、
前記データ処理部は、前記処理実行ステップにおいて、
フォーマット変換、または出力処理の対象となる画像ストリームがＨＤＲ画像であるか、ＳＤＲ画像であるかに応じた制御を実行する情報処理方法。
【０２７０】
（１７）情報処理装置において実行する情報処理方法であり、
前記情報処理装置は、
トランスポートストリーム（ＴＳ）ファイルを生成するデータ処理部を有し、
前記データ処理部は、
トランスポートストリーム（ＴＳ）ファイルに格納する画像ストリーム単位の画像属性情報として、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報をトランスポートストリーム（ＴＳ）ファイルに格納する情報処理方法。
【０２７１】
（１８）情報処理装置において情報処理を実行させるプログラムであり、
前記情報処理装置のデータ処理部に、処理対象データを格納したトランスポートストリーム（ＴＳ）ファイルを取得するファイル取得ステップと、
トランスポートストリーム（ＴＳ）ファイルに格納された画像属性情報を取得し、
取得した画像属性情報を適用したフォーマット変換、または出力処理を実行する処理実行ステップを実行させ、
前記画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含み、
前記プログラムは、前記処理実行ステップにおいて、
前記データ処理部に、フォーマット変換、または出力処理の対象となる画像ストリームがＨＤＲ画像であるか、ＳＤＲ画像であるかに応じた制御を実行させるプログラム。
【０２７２】
（１９）情報処理装置において情報処理を実行させるプログラムであり、
前記情報処理装置は、
トランスポートストリーム（ＴＳ）ファイルを生成するデータ処理部を有し、
前記プログラムは、前記データ処理部に、
トランスポートストリーム（ＴＳ）ファイルに格納する画像ストリーム単位の画像属性情報として、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報をトランスポートストリーム（ＴＳ）ファイルに格納する処理を実行させるプログラム。
【０２７３】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２７４】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２７５】
以上、説明したように、本開示の一実施例の構成によれば、トランスポートストリーム（ＴＳ）ファイルから、画像属性情報を取得して、取得属性に応じた処理を実行する構成が実現される。
具体的には、データ処理部が、処理対象データを格納したＴＳファイルに格納された画像属性情報を取得し、取得した画像属性情報を適用したフォーマット変換、または出力処理を実行する。画像属性情報は、トランスポートストリーム（ＴＳ）ファイルに格納された画像ストリーム単位の画像属性情報であり、少なくとも各画像ストリームがＨＤＲ（Ｈｉｇｈ  Ｄｙｎａｍｉｃ  Ｒａｎｇｅ）画像であるか、ＳＤＲ（Ｓｔａｎｄａｒｄ  Ｄｙｎａｍｉｃ  Ｒａｎｇｅ）画像であるかを識別可能とした画像属性情報を含む。データ処理部は、フォーマット変換、または出力処理の対象となる画像ストリームがＨＤＲ画像であるか、ＳＤＲ画像であるかに応じた制御を実行する。
本構成により、トランスポートストリーム（ＴＳ）ファイルから、画像属性情報を取得して、取得属性に応じた処理を実行する構成が実現される。
【符号の説明】
【０２７６】
１０  情報記録媒体（メディア）
１１  管理情報設定部（ＡＡＣＳディレクトリ）
１２  データ部（ＢＤＭＶディレクトリ）
５０  第１メディア
５１  トランスポートストリーム（ＴＳ）ファイル
６０  情報処理装置
６１  ＭＰ４フォーマットデータファイル
６５  第２メディア
７０  送信装置
８０  トランスポートストリーム（ＴＳ）ファイル
９０  受信装置
６００  情報処理装置
６０１  制御部
６０２  入力部
６０３  通信部
６０４  記憶部
６０５  出力部
６０６  第１メディアインタフェース
６０７  データバッファ
６０８  データ変換部
６０９  第２メディアインタフェース
６１０  第１メディア
６２０  第２メディア
６５０  データ解析部
６５１  属性情報（ＰＳＩ／ＳＩ）解析部
６５２  画像データ変換部
６５３  音声データ変換部
６５４  字幕データ変換部
６５５  多重化処理部
７０１  ＣＰＵ
７０２  ＲＯＭ
７０３  ＲＡＭ
７０４  バス
７０５  入出力インタフェース
７０６  入力部
７０７  出力部
７０８  記憶部
７０９  通信部
７１０  ドライブ
７１１  リムーバブルメディア
【図１】
2016132836.tif 000003
【図２】
2016132836.tif 000004
【図３】
2016132836.tif 000005
【図４】
2016132836.tif 000006
【図５】
2016132836.tif 000007
【図６】
2016132836.tif 000008
【図７】
2016132836.tif 000009
【図８】
2016132836.tif 000010
【図９】
2016132836.tif 000011
【図１０】
2016132836.tif 000012
【図１１】
2016132836.tif 000013
【図１２】
2016132836.tif 000014
【図１３】
2016132836.tif 000015
【図１４】
2016132836.tif 000016
【図１５】
2016132836.tif 000017
【図１６】
2016132836.tif 000018
【図１７】
2016132836.tif 000019
【図１８】
2016132836.tif 000020
【図１９】
2016132836.tif 000021
【図２０】
2016132836.tif 000022
【図２１】
2016132836.tif 000023
【図２２】
2016132836.tif 000024
【図２３】
2016132836.tif 000025
【図２４】
2016132836.tif 000026
【図２５】
2016132836.tif 000027
【図２６】
2016132836.tif 000028
【国際調査報告】
2016132836.tif 000029
2016132836.tif 000030
2016132836.tif 000031
2016132836.tif 000032